(57)【特許請求の範囲】
【請求項１】
遊技を行うためのリールユニットと、
前記リールユニットを収容する筐体とを備え、
前記リールユニットは、
外周面上に所定の図柄が描かれたリールと、
前記リールを回転駆動するリールモータと、
前記リールモータが取り付けられて前記リールを回転可能に保持するリールブラケットと、
前方にリール開口部を有して、前記リール開口部が前記筐体の前方を向くように前記筐体の内部に取り付けられ、前記リール開口部を通じて前記図柄が視認されるように、前記リールモータを介して前記リールを保持した前記リールブラケットが複数並んで収容されるリールケースとを有し、
前記リールケースに、前記リールケースの後端部よりも後方に突出して形成され、前記リールケースが前記筐体から取り外された状態において、前記リール開口部が上方を向くように下方から前記リールケースを支持して載置可能に構成された仮支持部と、前記リールケースの下部に下方に突出して形成され、前記リールケースが前記筐体から取り外された状態において、前記リール開口部が略水平方向を向くように前記リールケースを支持して載置可能に構成された支持リブとが設けられ、
前記仮支持部は、前記リールケースの後側上部の左右二箇所と、前記リールケースの後側下部の左右二箇所とに、前記リールケースの後端部よりも後方に突出して形成されることを特徴とする遊技機。
【請求項２】
前記リールケースは、
前方に収容開口部を有する箱状に形成され、前記収容開口部を通じて前記リールブラケットが複数並んで収容される後ケース部と、
前記リール開口部を有する板状に形成され、前記収容開口部を塞いで前記後ケース部の前部に取り付けられる前ケース部とを有し、
前記後ケース部に前記仮支持部が設けられており、
前記リールブラケットの後部を前記後ケース部の後部内側に結合させる後部結合手段と、
前記前ケース部を前記後ケース部に収容された前記リールブラケットの前部に結合させる前部結合手段とを備え、
前記前ケース部が前記前部結合手段および前記後部結合手段を介して前記後ケース部の前部に取り付けられることを特徴とする請求項１に記載の遊技機。
【請求項３】
前記リールモータの作動を制御するリール制御基板と、
前記リールケースの下部に設けられて前記リール制御基板が収容される基板収容部とを備え、
前記基板収容部は、前記リールケースの下側周縁部に形成されて前記リール制御基板の周囲を囲む前記支持リブを有し、
前記支持リブは、前記リールケースが前記筐体から取り外された状態において、前記リール制御基板が前記基板収容部に収容された状態で、前記リール開口部が略水平方向を向くように前記リールケースを支持して載置可能に構成されることを特徴とする請求項１または２に記載の遊技機。
【請求項４】
前記支持リブの前部に、前記リールモータと前記リール制御基板とに電気的に接続されたワイヤーハーネスが挿通される切欠きが形成されていることを特徴とする請求項３に記載の遊技機。
【請求項５】
前記基板収容部は、
前記リール制御基板を覆って前記支持リブに囲まれるように前記リールケースの下部に取り付けられた第１カバー部材と、
前記ワイヤーハーネスを覆って前記支持リブに囲まれるように前記第１カバー部材の下側に重ねて取り付けられた第２カバー部材とを有していることを特徴とする請求項４に記載の遊技機。
【発明の詳細な説明】
【技術分野】
【０００１】
本発明は、スロットマシン等の遊技機に関する。
【背景技術】
【０００２】
遊技機の一種であるスロットマシンは、リールを回転させるリールユニットと、リールユニットの作動制御を行う主制御装置と、遊技の結果に応じてメダルを払い出す払出装置と、これらを収容する箱状の基体部（本体部材）と、基体部の前面開口部を開閉可能な前面扉（開閉部材）とを備えて構成されている（例えば、特許文献１を参照）。また、スロットマシンには、基体部の上部に小型のリールユニットが収容され、前面扉の上部に小型のリール窓が設けられるとともに、前面扉の中央部に大型の画像表示装置が設けられたものも知られつつある。
【先行技術文献】
【特許文献】
【０００３】
【特許文献１】特開２００６−１３０１７２号公報
【発明の概要】
【発明が解決しようとする課題】
【０００４】
しかしながら、このような遊技機では、小型のリールユニットを組み立てやすくするための方策が求められている。
【０００５】
本発明は、このような課題に鑑みてなされたものであり、リールユニットを容易に組み立てることが可能な遊技機を提供することを目的とする。
【課題を解決するための手段】
【０００６】
このような目的達成のため、本発明に係る遊技機は、遊技を行うためのリールユニットと、前記リールユニットを収容する筐体とを備え、前記リールユニットは、外周面上に所定の図柄が描かれたリールと、前記リールを回転駆動するリールモータと、前記リールモータが取り付けられて前記リールを回転可能に保持するリールブラケットと、前方にリール開口部を有して、前記リール開口部が前記筐体の前方を向くように前記筐体の内部に取り付けられ、前記リール開口部を通じて前記図柄が視認されるように、前記リールモータを介して前記リールを保持した前記リールブラケットが複数並んで収容されるリールケースとを有し、前記リールケースに、前記リールケースの後端部よりも後方に突出して形成され、前記リールケースが前記筐体から取り外された状態において、前記リール開口部が上方を向くように下方から前記リールケースを支持して載置可能に構成された仮支持部と、前記リールケースの下部に下方に突出して形成され、前記リールケースが前記筐体から取り外された状態において、前記リール開口部が略水平方向を向くように前記リールケースを支持して載置可能に構成された支持リブとが設けられ、前記仮支持部は、前記リールケースの後側上部の左右二箇所と、前記リールケースの後側下部の左右二箇所とに、前記リールケースの後端部よりも後方に突出して形成されている。
【発明の効果】
【０００７】
本発明によれば、リールユニットを容易に組み立てることが可能になる。
【図面の簡単な説明】
【０００８】
【図１】スロットマシンの斜視図である。
【図２】スロットマシンの側断面図である。
【図３】スロットマシンの内部構造を示す正面図である。
【図４】スロットマシンの前面扉を後方から見た背面図である。
【図５】メインリールユニットの分解斜視図である。
【図６】（ａ）はメインバックランプホルダを前方から見た斜視図であり、（ｂ）はメインバックランプホルダを後方から見た斜視図である。
【図７】（ａ）はメインリールブラケットを右上方から見た斜視図であり、（ｂ）はメインリールブラケットを左下方から見た斜視図である。
【図８】メインリールケースを後方から見た斜視図である。
【図９】サブリールユニットの分解斜視図である。
【図１０】（ａ）は主制御装置の正面図であり、（ｂ）は主制御装置の後面図である。
【図１１】（ａ）は主制御装置の側断面図であり、（ｂ）は主制御装置に光通信ケーブルが接続された状態を示す側断面図である。
【図１２】主制御装置の分解斜視図である。
【図１３】（ａ）は副制御装置の正面図であり、（ｂ）は副制御装置の斜視図である。
【図１４】副制御装置の分解斜視図である。
【図１５】（ａ）は演出制御ユニットを上方から見た斜視図であり、（ｂ）は演出制御ユニットを下方から見た斜視図である。
【図１６】演出制御ユニットの分解斜視図である。
【図１７】スロットマシンの基体部から演出制御ユニットを取り外した状態を示す斜視図である。
【図１８】スロットマシンの基体部に演出制御ユニットを仮固定した状態を示す斜視図である。
【図１９】（ａ）は固定部材の平面図であり、（ｂ）は固定部材の斜視図である。
【図２０】画像表示装置の正面図である、
【図２１】画像表示装置の側断面図である。
【図２２】画像表示装置の分解斜視図である。
【図２３】上側照明部の分解図である。
【図２４】下側照明部の分解図である。
【図２５】下部エスカッションの斜視図である。
【図２６】サイドランプの正面図である。
【図２７】図２６における矢印XXVII−XXVIIの方向から見た断面図である。
【図２８】サイドランプの分解斜視図である。
【図２９】（ａ）は第２サイド反射部材の斜視図であり、（ｂ）は第２サイド反射部材の背面図である。
【図３０】（ａ）は第５サイド反射部材の斜視図であり、（ｂ）は第５サイド反射部材の正面図である。
【図３１】スロットマシンの上部を示す正面拡大図である。
【図３２】スロットマシンの上部を示す断面拡大図である。
【図３３】メインリール表示ユニットの分解斜視図である。
【図３４】メインリール表示ユニットを後方から見た斜視図である。
【図３５】左アップサイドランプおよびセンターランプユニットの分解斜視図である。
【図３６】（ａ）は左アップサイド反射部材の正面図であり、（ｂ）は左アップサイド反射部材の下面図である。
【図３７】センターランプユニットの正面図である。
【図３８】センターランプユニットを後方から見た斜視図である。
【図３９】センターランプユニットにおけるセンターランプ部の側断面図である。
【図４０】センターランプ部を前下方からみた斜視図である。
【図４１】（ａ）はセンター反射部材の正面図であり、（ｂ）はセンター反射部材の側断面図である。
【図４２】センター反射部材の分解斜視図である。
【図４３】センターランプ基板の正面図である。
【図４４】図３１における矢印XXXXIV−XXXXIVの方向から見た断面図である。
【図４５】（ａ）は左導光部材の側面図であり、（ｂ）は左導光部材の斜視図である。
【図４６】左導光部材の近傍を示す拡大正面図である。
【図４７】右導光部材の近傍を示す拡大正面図である。
【発明を実施するための形態】
【０００９】
以下、本発明の好ましい実施形態について図面を参照して説明する。まず、図１〜図４を参照しながら、遊技機の実施形態としてスロットマシンＳＭの概要について説明する。なお、本実施形態において、図１の各矢印で示す方向をそれぞれ、上下方向、前後方向、左右方向として説明する。スロットマシンＳＭは、箱状の基体部１０と、前面扉２０とを主体に構成される。図２に示すように、基体部１０は前方に開口部１０ａを有する箱状に形成され、基体部１０の前部に前面扉２０が取り付けられる。基体部１０の底部は、基体部１０の天井部よりも前後方向に長くて前方側が突出しており、基体部１０の開口部１０ａが上前方を向くように傾斜して形成されるようになっている。前面扉２０は、ヒンジ機構５ａ，５ｂを用いて基体部１０の左前部に枢支され、基体部１０の開口部１０ａを揺動開閉可能に構成される。前面扉２０の前面側は、概ね（後述の操作パネル２３等において）略鉛直方向に延びるように形成され、前面扉２０の後面側は、下後方を向くように傾斜して基体部１０の開口部１０ａと整合するように形成されている。
【００１０】
基体部１０の内部上側には、前面扉２０の後面側に取り付け固定されたメインリールユニット１００が収容され、前面扉２０に設けられたリール表示窓６３１を通して３つのメインリール１０２ａ，１０２ｂ，１０２ｃに描かれている図柄を視認することができるようになっている。基体部１０の内部中央には、基体部１０の内側に取り付け固定されたサブリールユニット２００が収容され、前面扉２０に設けられた液晶シャッター窓４１４ａ〜４１４ｃを通して３つのサブリール２０２ａ，２０２ｂ，２０２ｃに描かれている図柄を視認することができるようになっている。基体部１０の内部下側には、スロットマシンＳＭに搭載された種々の装置に電源を供給する電源ユニット１３、およびメダルを貯留しておくホッパー１４ａを備えたメダル払出装置１４が設けられる。基体部１０の背板部の上側内面には、スロットマシンＳＭで行われる遊技を全体的に制御する主制御装置２５０が取り付けられる。ヒンジ機構５ａ，５ｂが設けられる基体部１０の左側板部の上側内面には、スロットマシンＳＭの演出制御として演出決定処理を行う副制御装置３００が取り付けられる。基体部１０の左側板部の中間部内面には、スロットマシンＳＭの演出制御として各種演出装置の演出制御処理を行う演出制御ユニット３５０が取り付けられる。
【００１１】
前面扉２０には前面枠２１が形成されており、前面枠２１の略中央部に、液晶シャッター窓を有して所定の演出画像を表示する画像表示装置４００が設けられる。前面扉２０の前面側には、画像表示装置４００の左右に位置して上下に延びる左右のサイドランプ５００，５５０が設けられる。前面扉２０の前面側中央には、画像表示装置４００の下方に位置して操作パネル２３が設けられる。操作パネル２３の前面側には、スタートスイッチ２４、および３つのストップスイッチ２５ａ，２５ｂ，２５ｃが設けられる。操作パネル２３の上面側には、各種ベットスイッチ２６、各種演出操作スイッチ２７、およびメダル投入口２８が設けられる。前面扉２０の前面側上部には、リール表示窓を有したメインリール表示ユニット６００、左右のアップサイドランプ７００，７５０、およびセンターランプユニット８００が設けられる。前面扉２０の前面側下部には、装飾パネル３３、およびメダル払出装置１４から払い出されたメダルが貯留される受け皿３４が設けられる。
【００１２】
前面扉２０が基体部１０の開口部１０ａを閉じた状態では、前面扉２０の後面側が基体部１０の内部側に位置する。この前面扉２０の後面側には、前述のメインリールユニット１００、左右の上部スピーカーユニット３６，３７、および左右の下部スピーカーユニット３８，３９が取り付けられる。
【００１３】
［メインリールユニットの構成］
次に、本実施形態に係るメインリールユニット１００について図５〜図８を参照して説明する。メインリールユニット１００は、図５に示すように、第１〜第３メインリールモジュール１０１ａ〜１０１ｃと、メインリールケース１４１と、基板収容部１６１と、メインリール中継基板１８１とを有して構成される。
【００１４】
第１メインリールモジュール１０１ａは、第１メインリール１０２ａと、メインリールモータ１１１と、基準位置検出センサ１１６と、メインバックランプ１２１と、メインリールブラケット１３１とを有して構成される。第１メインリール１０２ａは、所定の図柄が描かれたリールテープと、リールテープが巻回されたホイール部材とを有して、外周面に沿って複数の図柄が並ぶ円筒状に形成され、メインリールモータ１１１のモータ軸に結合される。メインリールモータ１１１は、第１メインリール１０２ａとともにメインリールブラケット１３１に取り付けられ、第１メインリール１０２ａを回転駆動するようになっている。基準位置検出センサ１１６は、第１メインリール１０２ａの内側に形成された被検出部材（図示せず）を検出可能な位置でメインリールブラケット１３１に取り付けられ、第１メインリール１０２ａの回転基準位置を検出するようになっている。
【００１５】
メインバックランプ１２１は、第１メインリール１０２ａの内側に位置して前方を向くようにメインリールブラケット１３１に取り付けられ、図柄が描かれた第１メインリール１０２ａの外周部を内側から照明可能に構成される。メインバックランプ１２１は、ＬＥＤランプ（図示せず）が配設されたメインバックランプ基板１２２と、メインバックランプ基板１２２を保持してメインリールブラケット１３１に取り付けられるメインバックランプホルダ１２３とを有し、第１メインリール１０２ａにおける図柄１つ分の領域を照明することができるようになっている。
【００１６】
メインバックランプホルダ１２３は、図６に示すように、樹脂材料を用いて、中央に開口部１２３ａを有するブロック状に形成される。メインバックランプホルダ１２３の後部下側に、メインバックランプ基板１２２の下端部に係止する下側係止突起部１２４が２つ形成され、メインバックランプホルダ１２３の後部上側に、メインバックランプ基板１２２の上端部に弾性変形可能に係止する上側係止爪部１２５が形成される。メインバックランプ基板１２２は、下端部に下側係止突起部１２４が係止するとともに、上端部に上側係止爪部１２５が係止する状態で、メインバックランプホルダ１２３の後面側に保持され、メインバックランプホルダ１２３の開口部１２３ａを通じてメインバックランプ基板１２２のＬＥＤランプ（図示せず）が前方に露出するようになっている。メインバックランプホルダ１２３の右側部には、メインリールブラケット１３１のバックランプ取付穴部１３４に弾性変形可能に係止する一対のランプ固定爪部１２６が突出して形成されている。また、メインバックランプホルダ１２３の右側部には、メインリールブラケット１３１の位置決め突起部１３５が係合可能な一対のランプ係合穴部１２７が形成されている。
【００１７】
メインリールブラケット１３１は、図７に示すように、樹脂材料を用いて板状に形成され、メインリールブラケット１３１の左側部に、メインリールモータ１１１、基準位置検出センサ１１６、およびメインバックランプ１２１がそれぞれ取り付けられるようになっている。メインリールブラケット１３１の左側部中央には、メインリールモータ１１１が取り付けられるモータ取付部１３２が形成される。メインリールブラケット１３１の左側部上側には、基準位置検出センサ１１６が取り付けられるセンサ取付部１３３が形成される。
【００１８】
メインリールブラケット１３１の左側部前側には、メインバックランプホルダ１２３のランプ係合穴部１２７に係合可能な位置決め突起部１３５および、位置決め突起部１３５がランプ係合穴部１２７に係合した状態でメインバックランプホルダ１２３のランプ固定爪部１２６が係止可能なバックランプ取付穴部１３４が形成される。メインバックランプホルダ１２３のランプ係合穴部１２７に位置決め突起部１３５を係合させて、メインバックランプホルダ１２３のランプ固定爪部１２６をバックランプ取付穴部１３４に係止させることにより、メインバックランプ１２１がメインリールブラケット１３１のバックランプ取付穴部１３４に取り付け固定される。これにより、メインバックランプ１２１をメインリールブラケット１３１の左側部に容易に取り付けることができる。
【００１９】
メインリールブラケット１３１の前部中央には、リール間の隙間を覆うためのカラー部１３６が円弧状に形成される。メインリールブラケット１３１の後部上側および後部下側には、後部結合部材１９１が係合可能な後部結合穴１３７が形成される。メインリールブラケット１３１の前部上側には、上側前部結合部材１９２が係合可能な前部結合穴１３８が形成される。
【００２０】
図５に示すように、第２メインリールモジュール１０１ｂは、第１メインリールモジュール１０１ａと同様に、第２メインリール１０２ｂと、メインリールモータと、基準位置検出センサと、メインバックランプと、メインリールブラケットとを有して構成される。第２メインリール１０２ｂは、図柄が異なる他は、第１メインリール１０２ａと同様に形成される。メインリールモータ、基準位置検出センサ、メインバックランプ、およびメインリールブラケットは、第１リールモジュール１０１ａと同様の構成であり、詳細な図示および説明を省略する。
【００２１】
第３メインリールモジュール１０１ｃは、第１メインリールモジュール１０１ａと同様に、第３メインリール１０２ｃと、メインリールモータと、基準位置検出センサと、メインバックランプと、メインリールブラケットとを有して構成される。第３メインリール１０２ｃは、図柄が異なる他は、第１メインリール１０２ａと同様に形成される。メインリールモータ、基準位置検出センサ、メインバックランプ、およびメインリールブラケットは、第１リールモジュール１０１ａと同様の構成であり、詳細な図示および説明を省略する。
【００２２】
メインリールケース１４１は、後ケース部１４２と、前ケース部１５２とを有して構成される。後ケース部１４２は、図５および図８に示すように、樹脂材料を用いて、前方に収容開口部１４２ａを有する箱状に形成され、第１〜第３メインリールモジュール１０１ａ〜１０１ｃを左右に並べて収容可能に構成される。なお、収容開口部１４２ａを通じて、第１メインリールモジュール１０１ａが後ケース部１４２の左側に収容され、第２メインリールモジュール１０１ｂが後ケース部１４２の中央に収容され、第３メインリールモジュール１０１ｃが後ケース部１４２の右側に収容されるようになっている。
【００２３】
後ケース部１４２の前部左側および前部右側には、図５に示すように、フランジ部１４３が形成される。フランジ部１４３の前面における中央部から上部にかけて、フランジ部１４３の前面に対して（前面扉２０の後面側の傾斜に合わせて後方に）傾斜した傾斜面部１４５を有する支持部１４４が形成されている。支持部１４４は、図３２に示すように、傾斜面部１４５がメインリール表示ユニット６００の支持枠部材６４０に設けられた傾斜面当接部６４２に当接した状態で、前面扉２０の後面側に取り付けられたメインリールユニット１００を略水平に支持するようになっている。フランジ部１４３の前面上側には、支持枠部材６４０の爪係止部６４１に係止可能な爪部１４６が形成されており、メインリールユニット１００を支持枠部材６４０の後面側に引っ掛けて固定することができるようになっている。また、傾斜面部１４５には、支持枠部材６４０の突起係合部６４３に係合可能な突起部１４７が形成されている。後ケース部１４２の前部下側には、図５に示すように、下側前部結合部材１９３が係合可能な３つの前部結合穴１４８が形成される。
【００２４】
後ケース部１４２の後部中央には、図８に示すように、第１〜第３メインリール１０２ａ〜１０２ｃの外周形状に合わせた断面視円弧状に形成されて第１〜第３メインリール１０２ａ〜１０２ｃの後側が収容される後側リール収容部１４９が形成される。後側リール収容部１４９には、後方窓部１４９ａが左右に３つ並んで形成されており、第１〜第３メインリール１０２ａ〜１０２ｃの後側を視認可能に構成されている。後ケース部１４２の後端部四隅には、脚状の仮支持部１５０が後方に延びて形成されており、前ケース部１５２のリール開口部１５２ａ（または、後ケース部１４２の収容開口部１４２ａ）が上方を向くようにメインリールケース１４１（または、後ケース部１４２）を支持して載置することができるようになっている。
【００２５】
後ケース部１４２の後部上側および後部下側には、後部結合部材１９１が係合可能な６つの後部結合穴１５１が６つ形成される。後部結合穴１５１は、第１〜第３メインリールモジュール１０１ａ〜１０１ｃのメインリールブラケット１３１に形成された後部結合穴１３７と位置整合するように配置され、後部結合部材１９１を後方から後ケース部１４２の後部結合穴１５１とメインリールブラケット１３１の後部結合穴１３７とにそれぞれ係合させることにより、第１〜第３メインリールモジュール１０１ａ〜１０１ｃのメインリールブラケット１３１がそれぞれ後ケース部１４２と結合される。なお、後部結合部材１９１は、ナイラッチ等を用いて構成される。
【００２６】
前ケース部１５２は、図５に示すように、樹脂材料を用いて、中央にリール開口部１５２ａを有する枠板状に形成され、後ケース部１４２の収容開口部１４２ａを塞いで後ケース部１４２の前部に取り付けられる。すなわち、後ケース部１４２の前部に前ケース部１５２が取り付けられたメインリールケース１４１の内部に、第１〜第３メインリールモジュール１０１ａ〜１０１ｃが左右に並んで収容され、前ケース部１５２のリール開口部１５２ａを通じて第１〜第３メインリール１０２ａ〜１０２ｃの各図柄を前方から視認可能に構成される。
【００２７】
前ケース部１５２の上部には、上側前部結合部材１９２が係合可能な上側結合穴１５３が３つ形成される。上側結合穴１５３は、第１〜第３メインリールモジュール１０１ａ〜１０１ｃのメインリールブラケット１３１に形成された前部結合穴１３８と位置整合するように配置され、上側前部結合部材１９２を前方から前ケース部１５２の上側結合穴１５３とメインリールブラケット１３１の前部結合穴１３８とにそれぞれ係合させることにより、前ケース部１５２の上部が第１〜第３メインリールモジュール１０１ａ〜１０１ｃのメインリールブラケット１３１と結合される。これにより、前ケース部１５２の上部は、第１〜第３メインリールモジュール１０１ａ〜１０１ｃのメインリールブラケット１３１を介して、後ケース部１４２と結合される。なお、上側前部結合部材１９２は、ナイラッチ等を用いて構成される。
【００２８】
前ケース部１５２の下部には、下側前部結合部材１９３が係合可能な下側結合穴１５４が３つ形成される。下側結合穴１５４は、後ケース部１４２に形成された前部結合穴１４８と位置整合するように配置され、下側前部結合部材１９３を前方から前ケース部１５２の下側結合穴１５４と後ケース部１４２の前部結合穴１４８とにそれぞれ係合させることにより、前ケース部１５２の下部が後ケース部１４２と結合される。なお、下側前部結合部材１９３は、ナイラッチ等を用いて構成される。
【００２９】
また、メインリールケース１４１の下面側に、メインリール中継基板１８１を収容するための基板収容部１６１が設けられている。基板収容部１６１は、後ケース部１４２の下面側周縁部に形成された支持リブ１６２と、メインリール中継基板１８１を覆うための第１カバー部材１７１および第２カバー部材１７６とを有し、後ケース部１４２の下面側に取り付けられたメインリール中継基板１８１を覆って内部に収容可能に構成される。
【００３０】
メインリール中継基板１８１は、ネジ等の固定部材（図示せず）により、後ケース部１４２の下面側に取り付け固定される。メインリール中継基板１８１は、主制御装置２５０（主制御基板２５１）と電気的に接続され、主制御装置２５０から送信されたリール制御信号に応じて、第１〜第３メインリールモジュール１０１ａ〜１０１ｃの作動制御を行う。メインリール中継基板１８１の実装面における前側には、第１〜第３メインリールモジュール１０１ａ〜１０１ｃのメインリールモータ１１１、基準位置検出センサ１１６、およびメインバックランプ１２１と電気的に接続するためのリール制御コネクタ１８２が左右に３組並んで配設される。メインリール中継基板１８１の実装面における左側には、主制御装置２５０と電気的に接続するための主制御コネクタ１８３が配設される。なお、メインバックランプ１２１の制御は、演出制御ユニット３５０（サブサブ基板３５１）によって行われる場合もある。この場合、メインリール中継基板１８１は、演出制御ユニット３５０とも電気的に接続される。
【００３１】
支持リブ１６２は、後ケース部１４２の下面側周縁部に沿って下方に突出するように形成され、後ケース部１４２の下面側に取り付けられたメインリール中継基板１８１の周囲を囲むようになっている。また、支持リブ１６２は、メインリール中継基板１８１が基板収容部１６１に収容された状態で、前ケース部１５２のリール開口部１５２ａ（または、後ケース部１４２の収容開口部１４２ａ）が略水平方向を向くようにメインリールケース１４１（または、後ケース部１４２）を支持して載置することができるようになっている。支持リブ１６２の前側には、メインリール中継基板１８１と第１〜第３メインリールモジュール１０１ａ〜１０１ｃのメインリールモータ１１１、基準位置検出センサ１１６、およびメインバックランプ１２１とに電気的に接続されたワイヤーハーネス（図示せず）が挿通される前方切欠き部１６３が形成されている。支持リブ１６２の左側には、メインリール中継基板１８１と主制御装置２５０（主制御基板２５１）とに電気的に接続されたワイヤーハーネス（図示せず）が挿通される側方切欠き部１６４が形成されている。また、支持リブ１６２の後側には、基板収容部１６１に収容されたメインリール中継基板１８１を後方から視認可能な後方窓部１６２ａが形成されている。
【００３２】
第１カバー部材１７１は、透明の樹脂材料を用いて蓋状に形成され、メインリール中継基板１８１の実装面を覆って後ケース部１４２の下面側に取り付けられる。第１カバー部材１７１は、後ケース部１４２の下面側に取り付けられた状態で、支持リブ１６２に周囲を囲まれるようになっている。第１カバー部材１７１の前側には、メインリール中継基板１８１のリール制御コネクタ１８２を露出させる前方コネクタ露出穴１７２が左右に３組並んで形成される。第１カバー部材１７１の左側には、メインリール中継基板１８１の主制御コネクタ１８３を露出させる側方センサ露出穴１７３が形成される。第１カバー部材１７１の前端部には、穴部を有する突起状のカバー結合片１７４が２つ形成されており、カバー結合部材１９４を用いてこのカバー結合片１７４と後ケース部１４２の下面側のカバー取付ボス１６６とが結合されて、第１カバー部材１７１が後ケース部１４２の下面側に取り付けられるようになっている。
【００３３】
第２カバー部材１７６は、透明の樹脂材料を用いて蓋状に形成され、第１カバー部材１７１の下側に重ねて取り付けられる。第２カバー部材１７６は、第１カバー部材１７１の下側に重ねて取り付けられた状態で、支持リブ１６２に周囲を囲まれるようになっている。またこの状態で、メインリール中継基板１８１のリール制御コネクタ１８２から延びて第１〜第３メインリールモジュール１０１ａ〜１０１ｃのメインリールモータ１１１、基準位置検出センサ１１６、およびメインバックランプ１２１に繋がるワイヤーハーネス（図示せず）は、第２カバー部材１７６の前部に形成された前方ハーネス挿通部１７７に覆われて前方に挿通されるようになっている。またこの状態で、メインリール中継基板１８１の主制御コネクタ１８３から延びて主制御装置２５０（主制御基板２５１）に繋がるワイヤーハーネス（図示せず）は、第２カバー部材１７６の左側に形成された側方ハーネス挿通部１７８に覆われて左方に挿通されるようになっている。
【００３４】
第２カバー部材１７６の前部には、穴部を有するカバー結合凹部１７９が２つ形成されており、カバー結合部材１９４を用いて、このカバー結合凹部１７９と、第１カバー部材１７１のカバー結合片１７４と、後ケース部１４２のカバー取付ボス１６６とが互いに結合されて、第２カバー部材１７６が後ケース部１４２の下面側における第１カバー部材１７１の下側に重ねて取り付けられるようになっている。なお、カバー結合部材１９４は、ナイラッチ等を用いて構成される。
【００３５】
以上のように構成されるメインリールユニット１００において、第１〜第３メインリールモジュール１０１ａ〜１０１ｃをメインリールケース１４１に収容して組み立てるには、まず、収容開口部１４２ａを通じて、第１メインリールモジュール１０１ａを後ケース部１４２の左側に収容し、第２メインリールモジュール１０１ｂを後ケース部１４２の中央に収容し、第３メインリールモジュール１０１ｃを後ケース部１４２の右側に収容する。次に、後部結合部材１９１を後方から後ケース部１４２の後部結合穴１５１とメインリールブラケット１３１の後部結合穴１３７とにそれぞれ係合させ、第１〜第３メインリールモジュール１０１ａ〜１０１ｃの後部を後ケース部１４２の後部に結合させる。
【００３６】
次に、前ケース部１５２を後ケース部１４２の前部に取り付ける。次に、上側前部結合部材１９２を前方から前ケース部１５２の上側結合穴１５３とメインリールブラケット１３１の前部結合穴１３８とにそれぞれ係合させ、前ケース部１５２の上部を第１〜第３メインリールモジュール１０１ａ〜１０１ｃの前上部に結合させる。これにより、前ケース部１５２の上部は、第１〜第３メインリールモジュール１０１ａ〜１０１ｃのメインリールブラケット１３１を介して、後ケース部１４２と結合される。次に、下側前部結合部材１９３を前方から前ケース部１５２の下側結合穴１５４と後ケース部１４２の前部結合穴１４８とにそれぞれ係合させ、前ケース部１５２の下部を後ケース部１４２の前下部に結合させる。このとき必要に応じて、仮支持部１５０を用いて、後ケース部１４２の収容開口部１４２ａが上方を向くように後ケース部１４２を載置すれば、前ケース部１５２を後ケース部１４２の前部に容易に取り付けることができる。
【００３７】
次に、メインリール中継基板１８１を、ネジ等の固定部材（図示せず）により、後ケース部１４２の下面側に取り付け固定する。次に、カバー結合部材１９４を用いて、メインリール中継基板１８１の実装面を覆うように第１カバー部材１７１を後ケース部１４２の下面側に取り付けるとともに、第２カバー部材１７６を後ケース部１４２の下面側における第１カバー部材１７１の下側に重ねて取り付ける。このとき必要に応じて、仮支持部１５０を用いて、リール開口部１５２ａが上方を向くように第１〜第３メインリールモジュール１０１ａ〜１０１ｃが収容されたメインリールケース１４１を載置すれば、メインリール中継基板１８１、第１カバー部材１７１、および第２カバー部材１７６を、後ケース部１４２の下面側に容易に取り付けることができる。
【００３８】
またこのとき、第１〜第３メインリールモジュール１０１ａ〜１０１ｃのメインリールモータ１１１、基準位置検出センサ１１６、およびメインバックランプ１２１から延びるワイヤーハーネス（図示せず）を、支持リブ１６２の前方切欠き部１６３および第２カバー部材１７６の前方ハーネス挿通部１７７に挿通させて、メインリール中継基板１８１のリール制御コネクタ１８２に接続する。これにより、第１〜第３メインリールモジュール１０１ａ〜１０１ｃをメインリールケース１４１に収容して組み立てることができる。そして、メインリール中継基板１８１がメインリールケース１４１の下面側に設けられた基板収容部１６１に収容された状態でも、支持リブ１６２により、リール開口部１５２ａが略水平方向を向くようにメインリールケース１４１を載置することができる。
【００３９】
［サブリールユニットの構成］
次に、本実施形態に係るサブリールユニット２００について図９を参照して説明する。サブリールユニット２００は、図９に示すように、第１〜第３サブリールモジュール２０１ａ〜２０１ｃと、リールモジュール収容部２４１と、サブリール中継基板２４６と、基板カバー２４７と、ハーネスカバー２４８とを有して構成される。
【００４０】
第３サブリールモジュール２０１ｃは、第３サブリール２０２ｃと、サブリールモータ２１１と、基準位置検出センサ２１６と、サブバックランプ２２１と、サブリールブラケット２３１とを有して構成される。第３サブリール２０２ｃは、所定の図柄が描かれたリールテープと、リールテープが巻回されたホイール部材とを有して、外周面に沿って複数の図柄が並ぶ円筒状に形成され、サブリールモータ２１１のモータ軸に結合される。なお、第３サブリール２０２ｃにおいて、リールテープの図柄以外の部分およびホイール部材には、画像表示装置４００に設けられたシャッター照明部４３０からの光を液晶シャッター部４２０（詳細は後述）に向けて反射させやすい白色が着色されている。
【００４１】
サブリールモータ２１１は、第３サブリール２０２ｃとともにサブリールブラケット２３１に取り付けられ、第３サブリール２０２ｃを回転駆動するようになっている。基準位置検出センサ１０５は、第３サブリール２０２ｃの内側に形成された被検出部材（図示せず）を検出可能な位置でサブリールブラケット２３１に取り付けられ、第３サブリール２０２ｃの回転基準位置を検出するようになっている。
【００４２】
サブバックランプ２２１は、第３サブリール２０２ｃの内側に位置して前方を向くようにサブリールブラケット２３１に取り付けられ、図柄が描かれた第３サブリール２０２ｃの外周部を内側から照明可能に構成される。サブバックランプ２２１は、ＬＥＤランプ（図示せず）が配設されたサブバックランプ基板２２２と、サブバックランプ基板２２２を保持してサブリールブラケット２３１に取り付けられるサブバックランプホルダ２２３とを有し、第３サブリール２０２ｃにおける図柄３つ分の領域（以下、サブリールにおける図柄１つ分の領域を区画領域と称することがある）を図柄１つ分の領域ごとに個別に照明することができるようになっている。
【００４３】
サブリールブラケット２３１は、樹脂材料を用いて板状に形成され、サブリールブラケット２３１の左側部に、サブリールモータ２１１、基準位置検出センサ２１６、およびサブバックランプ２２１がそれぞれ取り付けられるようになっている。サブリールブラケット２３１の前部中央には、リール間の隙間を覆うためのカラー部２３２が円弧状に形成される。サブリールブラケット２３１の前部上側および前部下側には、リール結合部材２３９が係合可能な前部結合穴２３３が形成される。なお、サブリールブラケット２３１には、画像表示装置４００に設けられたシャッター照明部４３０からの光を液晶シャッター部４２０（詳細は後述）に向けて反射させやすい白色が着色されている。
【００４４】
第１サブリールモジュール２０１ａは、第３サブリールモジュール２０１ｃと同様に、第１サブリール２０２ａと、サブリールモータと、基準位置検出センサと、サブバックランプと、サブリールブラケットとを有して構成される。第１サブリール２０２ａは、図柄が異なる他は、第３サブリール２０２ｃと同様に形成される。サブリールモータ、基準位置検出センサ、サブバックランプ、およびサブリールブラケットは、第３サブリールモジュール２０１ｃと同様の構成であり、詳細な図示および説明を省略する。
【００４５】
第２サブリールモジュール２０１ｂは、第３サブリールモジュール２０１ｃと同様に、第２サブリール２０２ｂと、サブリールモータと、基準位置検出センサと、サブバックランプと、サブリールブラケットとを有して構成される。第２サブリール２０２ｂは、図柄が異なる他は、第３サブリール２０２ｃと同様に形成される。サブリールモータ、基準位置検出センサ、サブバックランプ、およびサブリールブラケットは、第３サブリールモジュール２０１ｃと同様の構成であり、詳細な図示および説明を省略する。
【００４６】
リールモジュール収容部２４１は、樹脂材料を用いて前方にリール開口部２４１ａを有する箱状に形成され、第１〜第３サブリールモジュール２０１ａ〜２０１ｃを左右に並べて収容可能に構成される。なお、第１サブリールモジュール２０１ａがリールモジュール収容部２４１の左側に収容され、第２サブリールモジュール２０１ｂがリールモジュール収容部２４１の中央に収容され、第３サブリールモジュール２０１ｃがリールモジュール収容部２４１の右側に収容されるようになっている。なお、リールモジュール収容部２４１には、画像表示装置４００に設けられたシャッター照明部４３０からの光を液晶シャッター部４２０（詳細は後述）に向けて反射させやすい白色が着色されている。
【００４７】
リールモジュール収容部２４１の前部上側および前部下側には、フランジ部２４２が形成される。フランジ部２４２には、リール結合部材２３９が係合可能なリール結合穴２４３が６つ形成される。リール結合穴２４３は、第１〜第３サブリールモジュール２０１ａ〜２０１ｃのサブリールブラケット２３１に形成された前部結合穴２３３と位置整合するように配置され、リール結合部材２３９を前方からサブリールブラケット２３１の前部結合穴２３３とリールモジュール収容部２４１のリール結合穴２４３とにそれぞれ係合させることにより、第１〜第３サブリールモジュール２０１ａ〜２０１ｃのサブリールブラケット２３１がリールモジュール収容部２４１のフランジ部２４２と結合される。なお、リール結合部材２３９は、ナイラッチ等を用いて構成される。
【００４８】
リールモジュール収容部２４１の上部に基板取付部２４４が形成されており、この基板取付部２４４にサブリール中継基板２４６が取り付けられるようになっている。サブリール中継基板２４６は、ネジ等の固定手段により、リールモジュール収容部２４１の基板取付部２４４に取り付け固定される。サブリール中継基板２４６は、演出制御ユニット３５０（サブサブ基板３５１）と電気的に接続され、演出制御ユニット３５０から送信されたリール制御信号に応じて、第１〜第３サブリールモジュール２０１ａ〜２０１ｃの作動制御を行う。
【００４９】
基板カバー２４７は、透明樹脂材料を用いて、サブリール中継基板２４６を上方から覆うことが可能な箱状に形成される。基板カバー２４７は、カバー結合部材２４９により、リールモジュール収容部２４１の基板取付部２４４の中央に結合されて取り付けられるようになっている。ハーネスカバー２４８は、透明樹脂材料を用いて箱状に形成され、サブリール中継基板２４６と第１〜第３サブリールモジュール２０１ａ〜２０１ｃのサブリールモータ２１１、基準位置検出センサ２１６、およびサブバックランプ２２１とに電気的に接続されたワイヤーハーネス（図示せず）の一部を覆うようになっている。ハーネスカバー２４８は、カバー結合部材２４９により、基板カバー２４７の前部と重なるように、リールモジュール収容部２４１の基板取付部２４４の前側に結合されて取り付けられるようになっている。なお、カバー結合部材２４９は、ナイラッチ等を用いて構成される。
【００５０】
［主制御装置の構成］
次に、本実施形態に係る主制御装置２５０について図１０〜図１２を参照して説明する。主制御装置２５０は、主制御基板２５１と、主制御基板２５１を収容する主基板ケース２６０とを主体に構成された基板ケースユニットである。主制御基板２５１は、図１２に示すように、メインＣＰＵ（Central  Processing  Unit）とＲＯＭ（Read  Only  Memory）を備えた遊技機制御用チップ２５３等の電子部品（電子素子）と、主基板側光コネクタ２５４等の電気部品と、これらが実装されるプリント基板２５２とから構成される。また、主制御基板２５１の各部には、複数の電気コネクタ２５５，２５５，…が配設される。
【００５１】
主基板側光コネクタ２５４は、光通信ケーブル９００（図１１を参照）を介して主制御装置２５０（主制御基板２５１）と副制御装置３００（サブメイン基板３０１）と接続するための光コネクタであり、主制御基板２５１の左側に左方を向いて配設される。図１１に示すように、主基板側光コネクタ２５４には、光通信ケーブル９００の第１ケーブル側コネクタ９１０がプリント基板２５２の実装面に沿って嵌合接続されるようになっている。光通信ケーブル９００は、光信号を伝送するための光ファイバーケーブルを主体に構成される。光通信ケーブル９００の一端に、主基板側光コネクタ２５４と嵌合可能な第１ケーブル側コネクタ９１０が設けられるとともに、光通信ケーブル９００の他端に、サブメイン基板３０１の副基板側光コネクタ３０４と嵌合可能な第２ケーブル側コネクタ９２０（図１３（ａ）を参照）が設けられる。第１ケーブル側コネクタ９１０が主基板側光コネクタ２５４と嵌合した状態で、第１ケーブル側コネクタ９１０から突出する光通信ケーブル９００の一端と、主基板側光コネクタ２５４に内蔵された発光素子（図示せず）とが、互いに近接した状態で対向配置される。これにより、主制御基板２５１の指令信号発信回路（図示せず）から送信された電気信号（指令信号）が主基板側光コネクタ２５４の発光素子において光信号に変換され、当該発光素子から光通信ケーブル９００に光信号が射出されて伝送される。
【００５２】
主基板ケース２６０は、図１０〜図１２に示すように、主基板ケース本体２６１と、主基板ケース蓋２７１とを有し、主基板ケース本体２６１と主基板ケース蓋２７１とが結合されて形成されるケース内部に、主制御基板２５１を収容可能に構成される。主基板ケース本体２６１は、図１２に示すように、透明の樹脂材料を用いて前側が開口した矩形箱状に形成される。主基板ケース本体２６１の上部には、第１本体側結合部２６２、第２本体側結合部２６３、および第３本体側結合部２６４が形成されている。また、主基板ケース本体２６１の上部には、封印カバー２８１によって封印される本体側封印部２６５が形成されている。
【００５３】
主基板ケース蓋２７１は、図１０および図１２に示すように、透明の樹脂材料を用いて後側が開口した矩形蓋状に形成される。主基板ケース蓋２７１の上部には、主基板ケース本体２６１の第１本体側結合部２６２、第２本体側結合部２６３、および第３本体側結合部２６４と結合される第１蓋側結合部２７２、第２蓋側結合部２７３、および第３蓋側結合部２７４が形成されている。また、主基板ケース蓋２７１の上部には、本体側封印部２６５とともに封印カバー２８１によって封印される蓋側封印部２７５が形成されている。第１本体側結合部２６２、第２本体側結合部２６３、および第３本体側結合部２６４と、第１蓋側結合部２７２、第２蓋側結合部２７３、および第３蓋側結合部２７４とを結合させることにより、主基板ケース蓋２７１が主制御基板２５１を覆うように主基板ケース本体２６１に結合される。またこのとき、封印カバー２８１を用いて本体側封印部２６５と蓋側封印部２７５とが結合されて封印シール２８２とともに封印されるようになっている。
【００５４】
主基板ケース蓋２７１の左内側に、主基板側光コネクタ２５４を四方から囲む囲い部２７７が形成される。囲い部２７７は、不図示の発光素子（図示せず）が内蔵される主基板側光コネクタ２５４の基端側を覆う箱状に形成されており、主基板ケース２６０の内側から主基板側光コネクタ２５４の基端側への不正なアクセスを防止するようになっている。囲い部２７７の左側部には、主基板側光コネクタ２５４の先端側を外側に露出させるコネクタ用切欠き部（図示せず）が形成されており、図１０（ａ）に示すように、囲い部２７７のコネクタ用切欠き部と繋がる主基板ケース蓋２７１の左外側に、平板状のケーブル受容部２７８が形成される。ケーブル受容部２７８は、主基板側光コネクタ２５４と嵌合接続された、第１ケーブル側コネクタ９１０から延びる光通信ケーブル９００の端部近傍を受容するようになっている。
【００５５】
なお、ケーブル受容部２７８における第１ケーブル側コネクタ９１０の嵌合方向に沿った左右方向の長さは、第１ケーブル側コネクタ９１０の長さよりも長くなるように設計される。これにより、主基板ケース２６０が基体部１０の背板部内面側に設けられたメイン側ブラケット部材２９０に取り付けられた状態で、光通信ケーブル９００の第１ケーブル側コネクタ９１０を主基板側光コネクタ２５４に容易に嵌合接続させることができる。また、ケーブル受容部２７８には、主基板側光コネクタ２５４と嵌合接続された第１ケーブル側コネクタ９１０および光通信ケーブル９００の端部近傍を覆う主基板側コネクタカバー（図示せず）が取り付けられる。
【００５６】
また、主基板ケース蓋２７１には、主制御基板２５１の各部に設けられた電気コネクタ２５５を露出させるコネクタ露出部が複数形成されている。主基板ケース蓋２７１の右側には、メイン側ブラケット部材２９０に設けられた設定スイッチユニット２９５から右側の電気コネクタ２５５に繋がるハーネスを覆うハーネスカバー２８３が取り付けられるようになっている。また、主基板ケース蓋２７１の右端部には、主基板ケース２６０をメイン側ブラケット部材２９０に結合するためのブラケット結合部２７６が形成される。
【００５７】
メイン側ブラケット部材２９０は、図１２に示すように、透明の樹脂材料を用いて、主基板ケース２６０の外周形状に合わせた矩形板状に形成され、ネジ等の固定部材（図示せず）を用いて、基体部１０の背板部の上側内面に取り付け固定される（図１８を参照）。メイン側ブラケット部材２９０には、主基板ケース２６０を取り付け可能な係止爪等を有した基板ケース取付部２９１が形成されている。基板ケース取付部２９１の右端部には、不図示の連結部材（図示せず）を介してブラケット結合部２７６と結合される結合穴部２９２が形成されている。また、メイン側ブラケット部材２９０の右側には、不図示の設定スイッチ（図示せず）およびリセットスイッチ（図示せず）から構成される設定スイッチユニット２９５が収容されるようになっている。
【００５８】
以上のように構成される主制御装置２５０を、基体部１０の背板部の上側内面に取り付けるには、主制御基板２５１が収容された主基板ケース２６０を、基体部１０の背板部の上側内面に固定されたメイン側ブラケット部材２９０の基板ケース取付部２９１に取り付ける。このとき、不図示の連結部材（図示せず）を用いて、主基板ケース蓋２７１のブラケット結合部２７６とメイン側ブラケット部材２９０の結合穴部２９２とを結合させる。次に、光通信ケーブル９００の第１ケーブル側コネクタ９１０を主制御基板２５１の主基板側光コネクタ２５４に嵌合接続させる。そして、不図示の主基板側コネクタカバー（図示せず）を、光通信ケーブル９００の第１ケーブル側コネクタ９１０を覆うように、ネジ等の固定部材（図示せず）を用いて主基板ケース２６０のケーブル受容部２７８に取り付け固定する。これにより、主制御装置２５０は、メイン側ブラケット部材２９０を介して基体部１０の背板部の上側内面に取り付け固定される。
【００５９】
［副制御装置の構成］
次に、本実施形態に係る副制御装置３００について図１３〜図１４を参照して説明する。副制御装置３００は、図１４に示すように、サブメイン基板３０１と、サブメイン基板３０１を収容する副基板ケース３１０とを主体に構成された基板ケースユニットである。サブメイン基板３０１は、主制御装置２５０（主制御基板２５１）からの出力情報（コマンドデータ）に基づいて、演出抽選など演出決定処理を行う。
【００６０】
サブメイン基板３０１は、サブメインＣＰＵ（Central  Processing  Unit）、拡張ワークＲＡＭ（Random  Access  Memory）、プログラムＲＯＭ（Read  Only  Memory）等の電子部品（電子素子）と、副基板側光コネクタ３０４等の電気部品と、これらが実装されるプリント基板３０２とから構成される。また、サブメイン基板３０１の各部には、複数の電気コネクタ３０５，３０５，…が配設される。
【００６１】
副基板側光コネクタ３０４は、光通信ケーブル９００（図１３（ａ）を参照）を介して主制御装置２５０（主制御基板２５１）と副制御装置３００（サブメイン基板３０１）と接続するための光コネクタであり、サブメイン基板３０１の上端部近傍に上方を向いて配設される。図１３（ａ）に示すように、副基板側光コネクタ３０４には、光通信ケーブル９００の第２ケーブル側コネクタ９２０がプリント基板３０２の実装面に沿って嵌合接続されるようになっている。第２ケーブル側コネクタ９２０が副基板側光コネクタ３０４と嵌合した状態で、第２ケーブル側コネクタ９２０から突出する光通信ケーブル９００の他端と、副基板側光コネクタ３０４に内蔵された受光素子（図示せず）とが、互いに近接した状態で対向配置される。これにより、光通信ケーブル９００から伝送された光信号が副基板側光コネクタ３０４の受光素子において電気信号（指令信号）に変換され、当該受光素子からサブメイン基板３０１の指令信号受信回路（図示せず）に指令信号が送信される。
【００６２】
副基板ケース３１０は、図１４に示すように、副基板ケース本体３１１と、副基板ケース蓋３２１とを有し、副基板ケース本体３１１と副基板ケース蓋３２１とが結合されて形成されるケース内部に、サブメイン基板３０１を収容可能に構成される。副基板ケース本体３１１は、透明の樹脂材料を用いて一方が開口した矩形箱状に形成される。また、副基板ケース本体３１１には、サブメイン基板３０１との間に金属製のシールドプレート３３１が収容されるようになっている。副基板ケース本体３１１の四隅には、不図示の結合ネジ（図示せず）が螺合されるネジ結合ボス３１２が形成される。副基板ケース本体３１１の底部には、ケース内部に収容されたサブメイン基板３０１を支持する基板支持ボス３１３が複数形成される。
【００６３】
副基板ケース蓋３２１は、透明の樹脂材料を用いて一方が開口した矩形蓋状に形成される。副基板ケース蓋３２１の四隅には、結合ネジ（図示せず）が挿通されるとともに第１キャップ部材３３２により塞がれる第１キャップ穴部３２２が形成される。副基板ケース蓋３２１は、結合ネジ（図示せず）を用いて、サブメイン基板３０１を覆うように副基板ケース本体３１１に結合される。副基板ケース蓋３２１の上部には、サブメイン基板３０１の上端部近傍に設けられた副基板側光コネクタ３０４を露出させる光コネクタ露出部３２４が形成されている。露出した副基板側光コネクタ３０４は、サブ側ブラケット部材３４０に取り付けられる副基板側コネクタカバー３３３に覆われるようになっている。
【００６４】
また、副基板ケース蓋３２１には、サブメイン基板３０１の各部に設けられた電気コネクタ３０５を露出させる電気コネクタ露出部３２５が複数形成されている。また、副基板ケース蓋３２１の前方側部には、副基板ケース３１０をサブ側ブラケット部材３４０に結合するためのブラケット結合部３２３が形成される。また、副基板ケース蓋３２１の後方側部には、サブ側ブラケット部材３４０の係合溝３４４に係合可能な係合ピン（図示せず）が形成される。
【００６５】
サブ側ブラケット部材３４０は、透明の樹脂材料を用いて、副基板ケース３１０の外周形状に合わせた矩形枠状に形成され、ネジ等の固定部材（図示せず）を用いて、基体部１０の左側板部の上側内面に取り付け固定される（図１８を参照）。サブ側ブラケット部材３４０の側端部近傍には、副基板ケース３１０のブラケット結合部３２３に係止可能な係止爪部３４１と、係止爪部３４１が係止した状態のブラケット結合部３２３をネジ等の固定部材（図示せず）により固定するための固定穴部３４２が形成されている。サブ側ブラケット部材３４０の上部には、副基板側光コネクタ３０４と嵌合接続された第２ケーブル側コネクタ９２０から延びる光通信ケーブル９００の端部近傍が挿通されるハーネスガイド部３４３が形成されている。サブ側ブラケット部材３４０の内周部には、副基板ケース蓋３２１の係合ピンが係合可能なＵ字状の係合溝３４４が形成されている。
【００６６】
副基板側コネクタカバー３３３は、透明の樹脂材料を用いて蓋状に形成される。副基板側コネクタカバー３３３は、ネジ等の固定部材（図示せず）を用いて、サブ側ブラケット部材３４０のハーネスガイド部３４３および副基板ケース蓋３２１の光コネクタ露出部３２４を覆うように、サブ側ブラケット部材３４０の上部に取り付け固定される。副基板側コネクタカバー３３３には、ネジ等の固定部材（図示せず）が挿通されるとともに第２キャップ部材３３５により塞がれる第２キャップ穴部３３４が形成される。
【００６７】
以上のように構成される副制御装置３００を、基体部１０の左側板部の上側内面に取り付けるには、サブメイン基板３０１が収容された副基板ケース３１０を、基体部１０の左側板部の上側内面に固定されたサブ側ブラケット部材３４０の内周側に取り付ける。このとき、副基板ケース３１０の係合ピン（図示せず）をサブ側ブラケット部材３４０の係合溝３４４に係合させるとともに、サブ側ブラケット部材３４０の係止爪部３４１を副基板ケース３１０のブラケット結合部３２３に係止させ、副基板ケース３１０をサブ側ブラケット部材３４０に対して仮固定する。次に、ネジ等の固定部材（図示せず）を用いて、係止爪部３４１が係止した状態のブラケット結合部３２３をサブ側ブラケット部材３４０の固定穴部３４２に固定する。次に、光通信ケーブル９００の第２ケーブル側コネクタ９２０をサブメイン基板３０１の副基板側光コネクタ３０４に嵌合接続させる。次に、副基板側コネクタカバー３３３を、副基板ケース３１０の光コネクタ露出部３２４およびサブ側ブラケット部材３４０のハーネスガイド部３４３を覆うように、ネジ等の固定部材（図示せず）を用いてサブ側ブラケット部材３４０の上部に取り付け固定する。そして、第２キャップ部材３３５を、ネジ等の固定部材（図示せず）が挿通された副基板側コネクタカバー３３３の第２キャップ穴部３３４に塞ぐように取り付ける。これにより、副制御装置３００は、サブ側ブラケット部材３４０を介して基体部１０の左側板部の上側内面に取り付け固定される。
【００６８】
［演出制御ユニットの構成］
次に、本実施形態に係る演出制御ユニット３５０について図１５〜図１９を参照して説明する。演出制御ユニット３５０は、図１５〜図１６に示すように、サブサブ基板３５１と、画像制御基板３６１と、サブサブ基板３５１および画像制御基板３６１を収容する演出基板ケース３７０とを主体に構成された基板ケースユニットである。サブサブ基板３５１は、サブメイン基板３０１と電気的に接続され、サブメイン基板３０１からの出力コマンドに基づいて、画像表示装置４００等を作動させる演出制御処理を行う。画像制御基板３６１は、サブサブ基板３５１から送信される画像制御信号に応じて、画像表示装置４００で表示される画像データの出力処理を行う。
【００６９】
サブサブ基板３５１は、図１６に示すように、サブサブＣＰＵ、ＶＲＡＭ、プログラムＲＯＭ等の電子部品（電子素子）と、接続コネクタ３５４等の電気部品と、これらが実装されるプリント基板３５２とから構成される。サブサブ基板３５１の下端部には、画像制御基板３６１の接続コネクタ３６４と電気的に接続される接続コネクタ３５４が配設される。また、サブサブ基板３５１の各部には、複数の電気コネクタ３５５，３５５，…が配設される。
【００７０】
画像制御基板３６１は、画像処理ＣＰＵ等の電子部品（電子素子）と、接続コネクタ３６４等の電気部品と、これらが実装されるプリント基板３６２とから構成される。画像制御基板３６１の上端部には、サブサブ基板３５１の接続コネクタ３５４と電気的に接続される接続コネクタ３６４が配設される。サブサブ基板３５１の接続コネクタ３５４と画像制御基板３６１の接続コネクタ３６４とを接続することにより、サブサブ基板３５１と画像制御基板３６１とが電気的に接続される。また、画像制御基板３６１の実装面上に、画像ＲＯＭ基板３９５および音声基板３９７が略平行に取り付けられて画像制御基板３６１と電気的に接続されている。
【００７１】
画像ＲＯＭ基板３９５は、枠状の第１基板支持部材３９６を用いて、画像制御基板３６１の実装面上に略平行に取り付けられる。画像ＲＯＭ基板３９５は、第１基板支持部材３９６の内側に位置するように画像制御基板３６１に設けられた画像ＲＯＭ基板用コネクタ３６５を介して、画像制御基板３６１と電気的に接続される。画像ＲＯＭ基板３９５および第１基板支持部材３９６は、ネジ等の固定部材（図示せず）を用いて、演出基板ケース本体３７１に形成されて画像制御基板３６１の挿通穴に挿通される画像ＲＯＭ基板固定ボス３７４に取り付け固定される。
【００７２】
音声基板３９７は、枠状の第２基板支持部材３９８を用いて、画像制御基板３６１の実装面上に略平行に取り付けられる。音声基板３９７は、第２基板支持部材３９８の内側に位置するように画像制御基板３６１に設けられた音声基板用コネクタ３６６を介して、画像制御基板３６１と電気的に接続される。音声基板３９７および第２基板支持部材３９８は、ネジ等の固定部材（図示せず）を用いて、演出基板ケース本体３７１に形成されて画像制御基板３６１の挿通穴に挿通される音声基板固定ボス３７５に取り付け固定される。
【００７３】
画像制御基板３６１の下端部には、サブサブ基板６２１の右端部（副制御装置６００の後側から見て左端部）に、画像データの出力するための出力コネクタ３６７が配設される。出力コネクタ３６７は、不図示のワイヤーハーネスにより、演出基板ケース蓋３８１の天井部の基板カバー部３９２に収容された制御側画像表示接続基板３９９と電気的に接続される。制御側画像表示接続基板３９９は、不図示のワイヤーハーネスにより、画像制御基板３６１（出力コネクタ３６７）と電気的に接続されるとともに、画像表示装置４００の装置側画像表示接続基板４１９（図２２を参照）と電気的に接続される。制御側画像表示接続基板３９９は、画像制御基板３６１の出力コネクタ３６７から出力された画像データ（画像信号）を、V−by−One（登録商標）方式の伝送信号に変換して装置側画像表示接続基板４１９に伝送する。これにより、演出制御ユニット３５０が基体部１０の左側板部の内面に取り付けられることによって、画像制御基板３６１と画像表示装置４００との間の距離が長くなっても、V−by−One（登録商標）方式の画像データの伝送によって安定した画像データの伝送を行うことができ、画像データの伝送時に生じる不具合を防止することができる。
【００７４】
演出基板ケース３７０は、演出基板ケース本体３７１と、演出基板ケース蓋３８１とを有し、演出基板ケース本体３７１と演出基板ケース蓋３８１とが結合されて形成されるケース内部に、サブサブ基板３５１および画像制御基板３６１を収容可能に構成される。演出基板ケース本体３７１は、透明の樹脂材料を用いて一方が開口した矩形箱状に形成される。また、演出基板ケース本体３７１には、サブサブ基板３５１および画像制御基板３６１との間に金属製のシールドプレート３９１が収容されるようになっている。演出基板ケース本体３７１の四隅には、不図示の結合ネジ（図示せず）が螺合されるネジ結合ボス３７２が形成される。演出基板ケース本体３７１の底部には、ケース内部に収容されたサブサブ基板３５１および画像制御基板３６１を支持する基板支持ボス３７３が複数形成される。また、演出基板ケース本体３７１の底部には、画像ＲＯＭ基板３９５および第１基板支持部材３９６が取り付け固定される画像ＲＯＭ基板固定ボス３７４と、音声基板３９７および第２基板支持部材３９８が取り付け固定される音声基板固定ボス３７５が形成されている。
【００７５】
演出基板ケース蓋３８１は、図１５および図１６に示すように、透明の樹脂材料を用いて一方が開口した矩形蓋状に形成される。演出基板ケース蓋３８１の四隅には、結合ネジ（図示せず）が挿通されるとともにキャップ部材３９３により塞がれるキャップ穴部３８２が形成される。演出基板ケース蓋３８１は、結合ネジ（図示せず）を用いて、サブサブ基板３５１および画像制御基板３６１を覆うように演出基板ケース本体３７１に結合される。また、演出基板ケース蓋３８１には、サブサブ基板３５１の各部に設けられた電気コネクタ３５５と画像制御基板３６１の出力コネクタ３６７を露出させるコネクタ露出部３８３が複数形成されている。
【００７６】
演出基板ケース蓋３８１の前方側部には、穴部を有する突起状のケース固定部３８４が上下に２つ形成されており、ネジ等の固定部材（図示せず）を用いて、基体部１０の左側板部の中間部内面に形成された取付ネジ部（図示せず）にケース固定部３８４が取り付け固定されるようになっている。図１５（ｂ）に示すように、演出基板ケース蓋３８１の後方側部には、演出基板ケース３７０を基体部１０の取り付け位置（すなわち、基体部１０の左側板部の中間部内面）に仮固定するための上部ケース側係合部３８５および下部ケース側係合部３８６が、上下に離れて演出基板ケース蓋３８１の側方に突出するように形成されている。
【００７７】
上部ケース側係合部３８５は、図１７に示すように基体部１０の内面に取り付けられた上側固定部材９６０の上部固定側係合部９６１に係合可能な鉤爪状に形成される。下部ケース側係合部３８６は、基体部１０の内面における上側固定部材９６０の下方に取り付けられた下側固定部材９６５の下部固定側係合部９６６に係合可能な鉤爪状に形成される。そして、図１８に示すように、上部ケース側係合部３８５が上側固定部材９６０の上部固定側係合部９６１に係合するとともに、下部ケース側係合部３８６が下側固定部材９６５の下部固定側係合部９６６に係合した状態で、演出基板ケース３７０が基体部１０の左側板部の中間部内面に仮固定されるようになっている。
【００７８】
上側固定部材９６０は、図１９に示すように、透明の樹脂材料を用いてクランプ状に形成される。下側固定部材９６５も、上側固定部材９６０と同様に形成される。上側固定部材９６０および下側固定部材９６５は、図１７に示すように、基体部１０の背板部と左側板部とに跨って上下平行に取り付けられ、主制御装置２５０（主制御基板２５１）とメダル払出装置１４とに電気的に接続されたホッパー用ワイヤーハーネス９５０や、主制御装置２５０（主制御基板２５１）と電源ユニット１３とに電気的に接続された電力供給用ワイヤーハーネス９５１を、基体部１０の内面側における左隅部近傍に固定するようになっている。上側固定部材９６０には、上部ケース側係合部３８５が上方から係合可能な穴状の上部固定側係合部９６１が形成される。下側固定部材９６５には、下部ケース側係合部３８６が上方から係合可能な穴状の下部固定側係合部９６６が形成される。
【００７９】
以上のように構成される演出制御ユニット３５０を、基体部１０の左側板部の中間部内面に取り付けるには、演出基板ケース３７０の上部ケース側係合部３８５を上側固定部材９６０の上部固定側係合部９６１に係合させるとともに、演出基板ケース３７０の下部ケース側係合部３８６を下側固定部材９６５の下部固定側係合部９６６に係合させる。これにより、サブサブ基板３５１および画像制御基板３６１が収容された演出基板ケース３７０が基体部１０の左側板部の中間部内面に仮固定される。そして、ネジ等の固定部材（図示せず）を用いて、基体部１０の左側板部の中間部内面に形成された取付ネジ部（図示せず）に、演出基板ケース３７０のケース固定部３８４を取り付け固定する。このように、上側固定部材９６０および下側固定部材９６５を介して、演出基板ケース３７０が基体部１０の左側板部の中間部内面に仮固定されるため、この状態で、演出制御ユニット３５０（演出基板ケース３７０）を基体部１０の左側板部の中間部内面に容易に取り付けることができる。
【００８０】
［画像表示装置の構成］
次に、本実施形態に係る画像表示装置４００について図２０〜図２５を参照して説明する。画像表示装置４００は、図２０〜図２２に示すように、画像表示部４１０と、シャッター照明部４３０とを有して構成される。画像表示部４１０は、図２０および図２２に示すように、液晶パネル４１１と、バックライトを構成する導光板４１２および反射シート４１３と、液晶ケース４１５と、液晶シャッター部４２０とを有し、前方を向いて配置された液晶パネル４１１の画面上に画像を表示可能に構成される。液晶パネル４１１は、透過型液晶を用いて長方形状に形成される。液晶パネル４１１は、液晶ケース４１５の後面側に収容された駆動用回路基板４１８を介して、演出制御ユニット３５０（画像制御基板３６１）と電気的に接続され、演出制御ユニット３５０から伝送された画像データに基づいて、画面上に画像を表示することができるようになっている。
【００８１】
導光板４１２は、液晶パネル４１１の外形に合わせた透明な長方形状に形成される。導光板４１２は、液晶パネル４１１の後面側に重なって設けられ、不図示の光源からの光を透過させて液晶パネル４１１の後面側に導くようになっている。反射シート４１３は、中央に３つの液晶シャッター窓４１４ａ〜４１４ｃを有する長方形状に形成される。反射シート４１３は、導光板４１２の後面側に重なって設けられ、３つの液晶シャッター窓４１４ａ〜４１４ｃの周辺領域において、導光板４１２を透過する光を液晶パネル４１１に向けて反射させるようになっている。３つの液晶シャッター窓４１４ａ〜４１４ｃは、３つのサブリール２０２ａ，２０２ｂ，２０２ｃについてそれぞれ３つの図柄を視認可能な大きさの長方形状に形成される。
【００８２】
液晶ケース４１５は、樹脂材料を用いて前方が開口した薄い箱状に形成される。液晶ケース４１５は、液晶パネル４１１の画面を前方から視認可能に液晶パネル４１１、導光板４１２、反射シート４１３、および液晶シャッター部４２０を収容保持して、前面扉２０における前面枠２１の略中央部に後側から取り付けられる。なお、前面扉２０における液晶パネル４１１の前面側に、透明の液晶カバー２２（図２を参照）が取り付けられる。液晶ケース４１５の中央部には、長方形状の開口部４１５ａが反射シート４１３の液晶シャッター窓４１４ａ〜４１４ｃと位置整合するように形成される。液晶ケース４１５の後面側における開口部４１５ａの周辺部に、矩形枠状のエスカッション取付部４１６が形成され、このエスカッション取付部４１６にシャッター照明部４３０の下部エスカッション４６０が取り付けられるようになっている。液晶ケース４１５の後面側上部における左右２箇所に、突起状のリール取付ボス４１７が形成され、このリール取付ボス４１７にメインリールユニット１００の前部下側（フランジ部１４３の下側）が取り付け固定されるようになっている。
【００８３】
なお、詳細な図示を省略するが、液晶ケース４１５の後面側におけるエスカッション取付部４１６の左右には、液晶パネル４１１を駆動するための駆動用回路基板４１８と、中継基板（図示せず）が収容される。また、液晶ケース４１５の後面側におけるエスカッション取付部４１６の上方には、装置側画像表示接続基板４１９が収容される。装置側画像表示接続基板４１９は、不図示のワイヤーハーネスにより、駆動用回路基板４１８を介して液晶パネル４１１と電気的に接続されるとともに、制御側画像表示接続基板３９９を介して演出制御ユニット３５０（画像制御基板３６１）と電気的に接続される。装置側画像表示接続基板４１９は、制御側画像表示接続基板３９９からV−by−One（登録商標）方式によって伝送された画像データを駆動用回路基板４１８に伝送する。
【００８４】
液晶シャッター部４２０は、液晶を用いて、反射シート４１３における３つの液晶シャッター窓４１４ａ〜４１４ｃの外形に合わせた長方形状に形成される。液晶シャッター部４２０は、３つの液晶シャッター窓４１４ａ〜４１４ｃと重なる反射シート４１３の後面側に、３つのサブリール２０２ａ，２０２ｂ，２０２ｃの前方に重なるように取り付けられる。液晶シャッター部４２０の左側は、第１サブリール２０２ａの前方に位置する第１液晶シャッター窓４１４ａに重なるように配置される。液晶シャッター部４２０の中央側は、第２サブリール２０２ｂの前方に位置する第２液晶シャッター窓４１４ｂに重なるように配置される。液晶シャッター部４２０の右側は、第３サブリール２０２ｃの前方に位置する第３液晶シャッター窓４１４ｃに重なるように配置される。
【００８５】
液晶シャッター部４２０は、液晶パネル４１１、導光板４１２、および３つの液晶シャッター窓４１４ａ〜４１４ｃを通じて３つのサブリール２０２ａ，２０２ｂ，２０２ｃの図柄を視認可能な透過状態と、３つの液晶シャッター窓４１４ａ〜４１４ｃを覆って液晶パネル４１１における３つの液晶シャッター窓４１４ａ〜４１４ｃと重なる部分で表示される画像を視認可能な遮蔽状態とに、電気的に切り替え可能に構成される。液晶シャッター部４２０は、駆動用回路基板４１８を介して、演出制御ユニット３５０（サブサブ基板３５１）と電気的に接続され、演出制御ユニット３５０から送信された画像制御信号に基づいて、上述した透過状態と遮蔽状態とに切り替えることができる。これにより、液晶シャッター部４２０は、透過状態において、液晶パネル４１１で表示される画像と一体化した３つのサブリール２０２ａ，２０２ｂ，２０２ｃの図柄表示を行うことができ、遮蔽状態において、３つのサブリール２０２ａ，２０２ｂ，２０２ｃを遮蔽した液晶パネル４１１による画像表示を行わせることができる。
【００８６】
図２０に示すように、液晶シャッター部４２０は、第１液晶シャッター窓４１４ａにおける上側１／３の領域に重なる第１上区画部４２１ａと、第１液晶シャッター窓４１４ａにおける中央側１／３の領域に重なる第１中区画部４２２ａと、第１液晶シャッター窓４１４ａにおける下側１／３の領域に重なる第１下区画部４２３ａとを有し、各区画部４２１ａ〜４２３ａごとに透過状態と遮蔽状態とに切り替え可能に構成される。また、液晶シャッター部４２０は、第２液晶シャッター窓４１４ｂにおける上側１／３の領域に重なる第２上区画部４２１ｂと、第２液晶シャッター窓４１４ｂにおける中央側１／３の領域に重なる第２中区画部４２２ｂと、第２液晶シャッター窓４１４ｂにおける下側１／３の領域に重なる第２下区画部４２３ｂとを有し、各区画部４２１ｂ〜４２３ｂごとに透過状態と遮蔽状態とに切り替え可能に構成される。また、液晶シャッター部４２０は、第３液晶シャッター窓４１４ｃにおける上側１／３の領域に重なる第３上区画部４２１ｃと、第３液晶シャッター窓４１４ｃにおける中央側１／３の領域に重なる第３中区画部４２２ｃと、第３液晶シャッター窓４１４ｃにおける中央側１／３の領域に重なる第３下区画部４２３ｃとを有し、各区画部４２１ｃ〜４２３ｃごとに透過状態と遮蔽状態とに切り替え可能に構成される。これにより、液晶シャッター部４２０は、３つの液晶シャッター窓４１４ａ〜４１４ｃにおいて視認可能な縦横に３つずつ並ぶ９つの図柄の区画領域（９つの区画部４２１ａ〜４２３ａ，４２１ｂ〜４２３ｂ，４２１ｃ〜４２３ｃ）ごとに、透過状態と遮蔽状態とに切り替え可能に構成される。
【００８７】
シャッター照明部４３０は、図２１〜図２２に示すように、上側照明部４４０と、下側照明部４５０と、下部エスカッション４６０とを有し、液晶シャッター部４２０を後方から照明可能に構成される。上側照明部４４０は、図２２および図２３に示すように、上側ランプ基板４４１と、上側ランプ保持部４４３と、上側拡散シート４４５と、上側ランプカバー４４７とを有し、上側ランプ基板４４１の上側ＬＥＤランプ４４２が前下方を向いて液晶シャッター部４２０を後上方から照明可能に構成される。
【００８８】
上側ランプ基板４４１は、左右方向に延びる細長い板状に形成される。上側ランプ基板４４１の実装面には、複数の上側ＬＥＤランプ４４２，４４２，…が前後２列で左右方向に並んで配設される。なお、上側ランプ基板４４１は、ＬＥＤランプが左右方向に一列に並ぶ２つのランプ基板を前後方向に並べた構成であってもよい。この場合、後述の下側ランプ基板４５１と同じランプ基板を用いて上側ランプ基板４４１を構成することができる。上側ランプ保持部４４３は、樹脂材料を用いて、上側ランプ基板４４１の形状に合わせて左右方向に延びる薄板状に形成され、上側ＬＥＤランプ４４２が前下方を向くように上側ランプ基板４４１を保持する。上側ランプ保持部４４３の後部には、略鉛直下方に折れ曲がった折り曲げ固定部４４４が形成され、この折り曲げ固定部４４４が下部エスカッション４６０の上側照明取付部４６３に取り付け固定される。
【００８９】
上側拡散シート４４５は、透光性を有する乳白色の樹脂材料を用いて、しぼ加工等が施されて左右方向に延びる薄板状に形成され、上面側が前上方を向くように傾いて上側ランプ基板４４１の実装面を覆うようになっている。上側拡散シート４４５の後部には、略鉛直上方に折れ曲がった折り曲げ固定部４４６が形成され、この折り曲げ固定部４４６が上側ランプ保持部４４３の折り曲げ固定部４４４とともに下部エスカッション４６０の上側照明取付部４６３に取り付け固定される。上側ランプカバー４４７は、透光性を有する乳白色の樹脂材料を用いて、上側拡散シート４４５の形状に合わせて左右方向に延びる薄板状に形成され、上側拡散シート４４５の下面側を覆って重なるようになっている。上側ランプカバー４４７の後部には、略鉛直上方に折れ曲がった折り曲げ固定部４４８が形成され、この折り曲げ固定部４４８が上側ランプ保持部４４３の折り曲げ固定部４４４とともに下部エスカッション４６０の上側照明取付部４６３に取り付け固定される。これにより、上側ＬＥＤランプ４４２で発光した光が上側拡散シート４４５および上側ランプカバー４４７において拡散されるようになっている。
【００９０】
下側照明部４５０は、図２２および図２４に示すように、下側ランプ基板４５１と、下側ランプ保持部４５３と、下側拡散シート４５５と、下側ランプカバー４５７とを有し、下側ランプ基板４５１の下側ＬＥＤランプ４５２が上方を向いて液晶シャッター部４２０を後下方から照明可能に構成される。下側ランプ基板４５１は、左右方向に延びる細長い板状に形成される。下側ランプ基板４５１の実装面には、複数の下側ＬＥＤランプ４５２，４５２，…が１列で左右方向に並んで配設される。下側ランプ保持部４５３は、樹脂材料を用いて、下側ランプ基板４５１の形状に合わせて左右方向に延びる薄板状に形成され、下側ＬＥＤランプ４５２が上方を向くように下側ランプ基板４５１を保持する。下側ランプ保持部４５３の後部には、略鉛直上方に折れ曲がった折り曲げ固定部４５４が形成され、この折り曲げ固定部４５４が下部エスカッション４６０の下側照明取付部４６５に取り付け固定される。
【００９１】
下側拡散シート４５５は、透光性を有する乳白色の樹脂材料を用いて、しぼ加工等が施されて左右方向に延びる薄板状に形成され、下面側が前下方を向くように傾いて下側ランプ基板４５１の実装面を覆うようになっている。下側拡散シート４５５の後部には、略鉛直下方に折れ曲がった折り曲げ固定部４５６が形成され、この折り曲げ固定部４５６が下側ランプ保持部４５３の折り曲げ固定部４５４とともに下部エスカッション４６０の下側照明取付部４６５に取り付け固定される。下側ランプカバー４５７は、透光性を有する乳白色の樹脂材料を用いて、下側拡散シート４５５の形状に合わせて左右方向に延びる薄板状に形成され、下側拡散シート４５５の上面側を覆って重なるようになっている。下側ランプカバー４５７の後部には、略鉛直下方に折れ曲がった折り曲げ固定部４５８が形成され、この折り曲げ固定部４５８が下側ランプ保持部４５３の折り曲げ固定部４５４とともに下部エスカッション４６０の下側照明取付部４６５に取り付け固定される。これにより、下側ＬＥＤランプ４５２で発光した光が下側拡散シート４５５および下側ランプカバー４５７において拡散されるようになっている。
【００９２】
下部エスカッション４６０は、図２１および図２５に示すように、白色の樹脂材料を用いて、画像表示部４１０の３つの液晶シャッター窓４１４ａ〜４１４ｃよりも大きい矩形枠状に形成される。下部エスカッション４６０の内側には、長方形状の開口部４６０ａが３つの液晶シャッター窓４１４ａ〜４１４ｃの外形に合わせて形成される。下部エスカッション４６０の外周端部には、穴部を有する突起状の固定片部４６１が複数形成されており、この固定片部４６１がネジ等の固定部材により液晶ケース４１５のエスカッション取付部４１６に取り付け固定される。
【００９３】
下部エスカッション４６０の上部には、下方に向けて開口したハウジング状の上側照明取付部４６３が形成されており、上側照明取付部４６３の内側に上側照明部４４０が取り付けられるようになっている。上側照明取付部４６３の左側部には、上側ランプ基板４４１に設けられたコネクタを露出させる上部穴部４６４が形成されている。下部エスカッション４６０の下部には、上方に向けて開口したハウジング状の下側照明取付部４６５が形成されており、下側照明取付部４６５の内側に上側照明部４４０が取り付けられるようになっている。下側照明取付部４６５の左側部には、上側ランプ基板４４１に設けられたコネクタを露出させる下部切欠き部４６６が形成されている。
【００９４】
以上のように構成される画像表示装置４００において、上側ランプ基板４４１の上側ＬＥＤランプ４４２で発光した光は、前下方へ進んで上側拡散シート４４５および上側ランプカバー４４７を透過し、上側拡散シート４４５および上側ランプカバー４４７において下方に拡散されるようになっている。これにより、上側照明部４４０は、上側ランプカバー４４７から均一な光を射出させて、上側ＬＥＤランプ４４２が３つの液晶シャッター窓４１４ａ〜４１４ｃやリールテープ等に点光源として映り込むことなく、液晶シャッター部４２０を後上方から均一に照明することができる。また、下側ランプ基板４５１の下側ＬＥＤランプ４５２で発光した光は、上方へ進んで下側拡散シート４５５および下側ランプカバー４５７を透過し、下側拡散シート４５５および下側ランプカバー４５７において上方に拡散されるようになっている。これにより、下側照明部４５０は、下側ランプカバー４５７から均一な光を射出させて、下側ＬＥＤランプ４５２が３つの液晶シャッター窓４１４ａ〜４１４ｃやリールテープ等に点光源として映り込むことなく、液晶シャッター部４２０を後下方から均一に照明することができる。
【００９５】
このように、液晶シャッター部４２０は、シャッター照明部４３０の上側照明部４４０および下側照明部４５０によって後方から照明されるため、遮蔽状態において、液晶パネル４１１における３つの液晶シャッター窓４１４ａ〜４１４ｃと重なる部分で表示される画像を、液晶パネル４１１における他の部分で表示される画像と同じ明るさで表示させることができる。そのため、液晶パネル４１１における３つの液晶シャッター窓４１４ａ〜４１４ｃと重なる部分と他の部分との境界で、画像の見え方にずれが生じるのを抑えることができる。また、液晶シャッター部４２０における９つの区画部４２１ａ〜４２３ａ，４２１ｂ〜４２３ｂ，４２１ｃ〜４２３ｃのうち、少なくとも一つが透過状態のときには、上側照明部４４０および下側照明部４５０によって遮られることなく、３つの液晶シャッター窓４１４ａ〜４１４ｃのいずれかを通じて３つのサブリール２０２ａ〜２０２ｃの９つの図柄のうち少なくとも一つを視認することができる。
【００９６】
なお、液晶シャッター部４２０の後方に配置される３つのサブリール２０２ａ〜２０２ｃにおいて、リールテープの図柄以外の部分およびホイール部材には、シャッター照明部４３０からの光を液晶シャッター部４２０に向けて反射させやすい白色が着色されている。また、サブリールブラケット２３１およびリールモジュール収容部２４１には、シャッター照明部４３０からの光を液晶シャッター部４２０に向けて反射させやすい白色が着色されている。このように、サブリールユニット２００の前面側に配置される各部品を、同じ白色に統一することで、液晶シャッター部４２０が遮蔽状態のときに、液晶パネル４１１における３つの液晶シャッター窓４１４ａ〜４１４ｃと重なる部分で表示される画像を、明暗のムラなく表示させることができる。
【００９７】
［サイドランプの構成］
次に、本実施形態に係る左右のサイドランプ５００，５５０について図２６〜図３０を参照して説明する。なお、左右のサイドランプ５００，５５０は、互いに左右対称（面対称）で同様の構成であるため、右サイドランプ５５０の詳細な説明を省略し、左サイドランプ５００について詳細な説明を行う。左サイドランプ５００は、図２６〜図２８に示すように、３つのサイドランプ基板５０１，５０４，５０７と、３つの装飾部材５１１，５１４，５１７と、第１〜第１１サイド反射部材５２１ａ〜５２１ｋと、サイドランプハウス５３１と、２つのランプカバー５４１，５４７と、カバー型装飾部材５４４とを有して構成される。
【００９８】
下部サイドランプ基板５０１は、上下方向に延びる細長い板状に形成され、３つのサイドランプ基板５０１，５０４，５０７のうち下側に並んで配置される。下部サイドランプ基板５０１は、サイドランプハウス５３１の下部に収容保持される。下部サイドランプ基板５０１の実装面には、第１〜第５サイドＬＥＤランプ５０２ａ〜５０２ｅが上下方向に３つずつ並んで配設される。第１〜第５サイドＬＥＤランプ５０２ａ〜５０２ｅは、下部サイドランプ基板５０１の上側においてこの順に下から上へ並んで配置される。
【００９９】
中部サイドランプ基板５０４は、上下方向に延びる細長い板状に形成され、３つのサイドランプ基板５０１，５０４，５０７のうち中央に並んで配置される。中部サイドランプ基板５０４は、サイドランプハウス５３１の中部に収容保持される。中部サイドランプ基板５０４の実装面には、第６サイドＬＥＤランプ５０５ｆが３つ配設される。
【０１００】
上部サイドランプ基板５０７は、上下方向に延びる細長い板状に形成され、３つのサイドランプ基板５０１，５０４，５０７のうち上側に並んで配置される。上部サイドランプ基板５０７は、サイドランプハウス５３１の上部に収容保持される。上部サイドランプ基板５０７の実装面には、第７〜第９サイドＬＥＤランプ５０８ｇ〜５０８ｉおよび電飾用ＬＥＤランプ５０９が上下方向に３つずつ並んで配設される。電飾用ＬＥＤランプ５０９は、上部サイドランプ基板５０７の下側に配置される。第７〜第９サイドＬＥＤランプ５０８ｇ〜５０８ｉは、上部サイドランプ基板５０７の上側においてこの順に下から上へ並んで配置される。
【０１０１】
第１〜第１１サイド反射部材５２１ａ〜５２１ｋは、この順に下から上へ並んで配置される。第１〜第１１サイド反射部材５２１ａ〜５２１ｋは、後面側が３つのサイドランプ基板５０１，５０４，５０７の実装面と対向するように並んで、サイドランプハウス５３１の内側縁部に取り付けられるようになっている。
【０１０２】
第１サイド反射部材５２１ａは、後面側が下部サイドランプ基板５０１の実装面と対向してサイドランプハウス５３１の下端部に取り付けられる。第１サイド反射部材５２１ａの上方に近接して隣り合う第２サイド反射部材５２１ｂとの間には、３つの第１サイドＬＥＤランプ５０２ａが配置されるようになっている。第１サイド反射部材５２１ａは、表面に銀色メッキ処理を施すことが可能な樹脂材料を用いて、上端部が第１サイドＬＥＤランプ５０２ａを跨いで第２サイド反射部材５２１ｂの前方側に重なるように湾曲して形成される。表面に銀色メッキ処理が施された第１サイド反射部材５２１ａの上部後面側には、第１サイドＬＥＤランプ５０２ａと対向して光を反射可能な後側反射面５２２ａが形成される。第１サイド反射部材５２１ａの下部前面側には、装飾部材取付部５２９ａが形成されており、この装飾部材取付部５２９ａに下部装飾部材５１１が取り付けられるようになっている。なお、表面に銀色メッキ処理が施された第１サイド反射部材５２１ａの上部前面側には、光を反射可能な前側反射面（図示せず）が形成されるが、装飾的に用いられる。
【０１０３】
第２サイド反射部材５２１ｂは、後面側が下部サイドランプ基板５０１の実装面と対向してサイドランプハウス５３１の下部に取り付けられる。第２サイド反射部材５２１ｂの上方に近接して隣り合う第３サイド反射部材５２１ｃとの間には、３つの第２サイドＬＥＤランプ５０２ｂが配置されるようになっている。第２サイド反射部材５２１ｂは、表面に銀色メッキ処理を施すことが可能な樹脂材料を用いて、上端部が第２サイドＬＥＤランプ５０２ｂを跨いで第３サイド反射部材５２１ｃの前方側に重なるように湾曲して形成される。表面に銀色メッキ処理が施された第２サイド反射部材５２１ｂの上部後面側には、第２サイドＬＥＤランプ５０２ｂと対向して光を反射可能な後側反射面５２２ｂが形成される。表面に銀色メッキ処理が施された第２サイド反射部材５２１ｂの下部前面側には、第１サイド反射部材５２１ａの後側反射面５２２ａで反射した光を反射可能な前側反射面５２３ｂが形成される。これにより、第１サイドＬＥＤランプ５０２ａから発光した光は、第１サイド反射部材５２１ａの後側反射面５２２ａと、第２サイド反射部材５２１ｂの前側反射面５２３ｂとに少なくとも一回以上反射して、下部ランプカバー５４１を透過するようになっている。
【０１０４】
また、図２９に示すように、第２サイド反射部材５２１ｂの左右側部には、サイドランプハウス５３１の反射部材係止爪５３３が係止可能な係止穴部５２４が形成される。第２サイド反射部材５２１ｂの左右後部には、サイドランプハウス５３１の係合突起５３２が係止可能な係合穴部５２５が形成される。第２サイド反射部材５２１ｂの上部における後側反射面５２２ｂの基端部近傍には、上側に突出する上突起部５２６ｕが２つ形成される。第２サイド反射部材５２１ｂの下端部には、左右内側に突出する下突起部５２６ｗが２つ形成される。第２サイド反射部材５２１ｂの上突起部５２６ｕには、第３サイド反射部材５２１ｃの下突起部（図示せず）が当接するようになっている。なお、第２サイド反射部材５２１ｂの下突起部５２６ｗは、設けなくてもよい。
【０１０５】
第３サイド反射部材５２１ｃは、後面側が下部サイドランプ基板５０１の実装面と対向してサイドランプハウス５３１の下部に取り付けられる。第３サイド反射部材５２１ｃの上方に近接して隣り合う第４サイド反射部材５２１ｄとの間には、３つの第３サイドＬＥＤランプ５０２ｃが配置されるようになっている。第３サイド反射部材５２１ｃは、第２サイド反射部材５２１ｂと同様に、表面に銀色メッキ処理を施すことが可能な樹脂材料を用いて、上端部が第３サイドＬＥＤランプ５０２ｃを跨いで第４サイド反射部材５２１ｄの前方側に重なるように湾曲して形成される。表面に銀色メッキ処理が施された第３サイド反射部材５２１ｃの上部後面側には、第３サイドＬＥＤランプ５０２ｃと対向して光を反射可能な後側反射面５２２ｃが形成される。表面に銀色メッキ処理が施された第３サイド反射部材５２１ｃの下部前面側には、第２サイド反射部材５２１ｂの後側反射面５２２ｂで反射した光を反射可能な前側反射面５２３ｃが形成される。これにより、第２サイドＬＥＤランプ５０２ｂから発光した光は、第２サイド反射部材５２１ｂの後側反射面５２２ｂと、第３サイド反射部材５２１ｃの前側反射面５２３ｃとに少なくとも一回以上反射して、下部ランプカバー５４１を透過するようになっている。
【０１０６】
また、第３サイド反射部材５２１ｃの左右側部には、第２サイド反射部材５２１ｂと同様の係止穴部（図示せず）が形成される。第３サイド反射部材５２１ｃの左右後部には、第２サイド反射部材５２１ｂと同様の係合穴部（図示せず）が形成される。第３サイド反射部材５２１ｃの上部における後側反射面５２２ｃの基端部近傍には、第２サイド反射部材５２１ｂと同様の上突起部（図示せず）が形成される。第３サイド反射部材５２１ｃの下端部には、第２サイド反射部材５２１ｂと同様の下突起部（図示せず）が形成される。第３サイド反射部材５２１ｃの上突起部（図示せず）には、第４サイド反射部材５２１ｄの下突起部（図示せず）が当接するようになっている。一方、第３サイド反射部材５２１ｃの下突起部（図示せず）には、第２サイド反射部材５２１ｂの上突起部５２６ｕが当接するようになっている。
【０１０７】
第４サイド反射部材５２１ｄは、後面側が下部サイドランプ基板５０１の実装面と対向してサイドランプハウス５３１の下部に取り付けられる。第４サイド反射部材５２１ｄの上方に近接して隣り合う第５サイド反射部材５２１ｅとの間には、３つの第４サイドＬＥＤランプ５０２ｄが配置されるようになっている。第４サイド反射部材５２１ｄは、第２サイド反射部材５２１ｂと同様に、表面に銀色メッキ処理を施すことが可能な樹脂材料を用いて、上端部が第４サイドＬＥＤランプ５０２ｄを跨いで第５サイド反射部材５２１ｅの前方側に重なるように湾曲して形成される。表面に銀色メッキ処理が施された第４サイド反射部材５２１ｄの上部後面側には、第４サイドＬＥＤランプ５０２ｄと対向して光を反射可能な後側反射面５２２ｄが形成される。表面に銀色メッキ処理が施された第４サイド反射部材５２１ｄの下部前面側には、第３サイド反射部材５２１ｃの後側反射面５２２ｃで反射した光を反射可能な前側反射面５２３ｄが形成される。これにより、第３サイドＬＥＤランプ５０２ｃから発光した光は、第３サイド反射部材５２１ｃの後側反射面５２２ｃと、第４サイド反射部材５２１ｄの前側反射面５２３ｄとに少なくとも一回以上反射して、下部ランプカバー５４１を透過するようになっている。
【０１０８】
また、第４サイド反射部材５２１ｄの左右側部には、第２サイド反射部材５２１ｂと同様の係止穴部（図示せず）が形成される。第４サイド反射部材５２１ｄの左右後部には、第２サイド反射部材５２１ｂと同様の係合穴部（図示せず）が形成される。第４サイド反射部材５２１ｄの上部における後側反射面５２２ｄの基端部近傍には、第２サイド反射部材５２１ｂと同様の上突起部（図示せず）が形成される。第４サイド反射部材５２１ｄの下端部には、第２サイド反射部材５２１ｂと同様の下突起部（図示せず）が形成される。第４サイド反射部材５２１ｄの上突起部（図示せず）には、第５サイド反射部材５２１ｅの下突起部５２６（図示せず）が当接するようになっている。一方、第４サイド反射部材５２１ｄの下突起部（図示せず）には、第３サイド反射部材５２１ｃの上突起部（図示せず）が当接するようになっている。
【０１０９】
第５サイド反射部材５２１ｅは、後面側が下部サイドランプ基板５０１の実装面と対向してサイドランプハウス５３１の下部に取り付けられる。第５サイド反射部材５２１ｅの上方に近接して隣り合う第６サイド反射部材５２１ｆとの間には、３つの第５サイドＬＥＤランプ５０２ｅが配置されるようになっている。第５サイド反射部材５２１ｅは、表面に銀色メッキ処理を施すことが可能な樹脂材料を用いて、上端部が第５サイドＬＥＤランプ５０５ｅを跨いで第６サイド反射部材５２１ｆの前方側に重なるように湾曲して形成される。表面に銀色メッキ処理が施された第５サイド反射部材５２１ｅの上部後面側には、第５サイドＬＥＤランプ５０２ｅと対向して光を反射可能な後側反射面５２２ｅが形成される。表面に銀色メッキ処理が施された第５サイド反射部材５２１ｅの下部前面側には、第４サイド反射部材５２１ｄの後側反射面５２２ｄで反射した光を反射可能な前側反射面５２３ｅが形成される。これにより、第４サイドＬＥＤランプ５０２ｄから発光した光は、第４サイド反射部材５２１ｄの後側反射面５２２ｄと、第５サイド反射部材５２１ｅの前側反射面５２３ｅとに少なくとも一回以上反射して、下部ランプカバー５４１を透過するようになっている。
【０１１０】
また、第５サイド反射部材５２１ｅの左右側部には、第２サイド反射部材５２１ｂと同様の係止穴部（図示せず）が形成される。第５サイド反射部材５２１ｅの左右後部には、第２サイド反射部材５２１ｂと同様の係合穴部（図示せず）が形成される。第５サイド反射部材５２１ｅの上部における後側反射面５２２ｅの基端部近傍には、第２サイド反射部材５２１ｂと同様の上突起部（図示せず）が形成される。第５サイド反射部材５２１ｅの下端部には、第２サイド反射部材５２１ｂと同様の下突起部（図示せず）が形成される。第５サイド反射部材５２１ｅの上突起部（図示せず）には、第６サイド反射部材５２１ｆの下突起部５２６ｗが当接するようになっている。一方、第５サイド反射部材５２１ｅの下突起部（図示せず）には、第４サイド反射部材５２１ｄの上突起部（図示せず）が当接するようになっている。
【０１１１】
第６サイド反射部材５２１ｆは、後面側が中部サイドランプ基板５０４の実装面と対向してサイドランプハウス５３１の中部に取り付けられる。第６サイド反射部材５２１ｆの上方に近接して隣り合う第７サイド反射部材５２１ｇとの間には、３つの第６サイドＬＥＤランプ５０５ｆが配置されるようになっている。第６サイド反射部材５２１ｆは、表面に銀色メッキ処理を施すことが可能な樹脂材料を用いて、上端部が第６サイドＬＥＤランプ５０５ｆを跨いで第７サイド反射部材５２１ｇの前方側に重なるように湾曲して形成される。表面に銀色メッキ処理が施された第６サイド反射部材５２１ｆの上部後面側には、第６サイドＬＥＤランプ５０５ｆと対向して光を反射可能な後側反射面５２２ｆが形成される。表面に銀色メッキ処理が施された第６サイド反射部材５２１ｆの下部前面側には、第５サイド反射部材５２１ｅの後側反射面５２２ｅで反射した光を反射可能な前側反射面５２３ｆが形成される。これにより、第５サイドＬＥＤランプ５０２ｅから発光した光は、第５サイド反射部材５２１ｅの後側反射面５２２ｅと、第６サイド反射部材５２１ｇの前側反射面５２３ｆとに少なくとも一回以上反射して、下部ランプカバー５４１を透過するようになっている。
【０１１２】
また、図３０に示すように、第６サイド反射部材５２１ｆの左右側部には、第２サイド反射部材５２１ｂと同様の係止穴部５２４が形成される。第６サイド反射部材５２１ｆの左右後部には、第２サイド反射部材５２１ｂと同様の係合穴部（図示せず）が形成される。第６サイド反射部材５２１ｆの下端部には、第２サイド反射部材５２１ｂと同様の下突起部５２６ｗが形成される。第６サイド反射部材５２１ｆの下突起部５２６ｗには、第５サイド反射部材５２１ｅの上突起部（図示せず）が当接するようになっている。第６サイド反射部材５２１ｆの中央部には、左サイドランプ５００の斜め上前方から、第５サイド反射部材５２１ｅと第６サイド反射部材５２１ｆとの間隙を通じて第５サイドＬＥＤランプ５０２ｅが視認されるのを防ぐ突起状のランプ隠し部５２７ｆが形成されている。
【０１１３】
第７サイド反射部材５２１ｇは、後面側が中部サイドランプ基板５０４の実装面と対向してサイドランプハウス５３１の中部に取り付けられる。第７サイド反射部材５２１ｇの上方には、中部装飾部材５１４が配置される。第７サイド反射部材５２１ｇは、表面に銀色メッキ処理を施すことが可能な樹脂材料を用いて、第２サイド反射部材５２１ｂと同様に形成される。表面に銀色メッキ処理が施された第７サイド反射部材５２１ｇの下部前面側には、第６サイド反射部材５２１ｆの後側反射面５２２ｆで反射した光を反射可能な前側反射面５２３ｇが形成される。これにより、第６サイドＬＥＤランプ５０５ｆから発光した光は、第６サイド反射部材５２１ｆの後側反射面５２２ｆと、第７サイド反射部材５２１ｇの前側反射面５２３ｇとに少なくとも一回以上反射して、下部ランプカバー５４１を透過するようになっている。表面に銀色メッキ処理が施された第６サイド反射部材５２１ｆの上部後面側には、光を反射可能な後側反射面（図示せず）が形成される。なお、第６サイド反射部材５２１ｆの後側反射面（図示せず）は、設けなくてもよい。
【０１１４】
また、第７サイド反射部材５２１ｇの左右側部には、第２サイド反射部材５２１ｂと同様の係止穴部（図示せず）が形成される。第７サイド反射部材５２１ｇの左右後部には、第２サイド反射部材５２１ｂと同様の係合穴部（図示せず）が形成される。
【０１１５】
第８サイド反射部材５２１ｈは、後面側が上部サイドランプ基板５０７の実装面と対向してサイドランプハウス５３１の上部に取り付けられる。第８サイド反射部材５２１ｈの上方に近接して隣り合う第９サイド反射部材５２１ｉとの間には、３つの第７サイドＬＥＤランプ５０８ｇが配置されるようになっている。第８サイド反射部材５２１ｈは、透光性を有する有色半透明の樹脂材料を用いて、上端部が第７サイドＬＥＤランプ５０８ｇを跨いで第９サイド反射部材５２１ｉの前方側に重なるように湾曲して形成される。第８サイド反射部材５２１ｈの上部後面側には、第７サイドＬＥＤランプ５０８ｇと対向して光を反射可能な後側反射面５２２ｈが形成される。第８サイド反射部材５２１ｈの下部前面側には、装飾部材取付部５２８ｈが形成されており、この装飾部材取付部５２８ｈにカバー型装飾部材５４４が取り付けられるようになっている。また、第８サイド反射部材５２１ｈの左右後部には、第２サイド反射部材５２１ｂと同様の係合穴部（図示せず）が形成される。
【０１１６】
第９サイド反射部材５２１ｉは、後面側が上部サイドランプ基板５０７の実装面と対向してサイドランプハウス５３１の上部に取り付けられる。第９サイド反射部材５２１ｉの上方に近接して隣り合う第１０サイド反射部材５２１ｊとの間には、３つの第８サイドＬＥＤランプ５０８ｈが配置されるようになっている。第９サイド反射部材５２１ｉは、第２サイド反射部材５２１ｂと同様に、表面に銀色メッキ処理を施すことが可能な樹脂材料を用いて、上端部が第８サイドＬＥＤランプ５０８ｈを跨いで第１０サイド反射部材５２１ｊの前方側に重なるように湾曲して形成される。表面に銀色メッキ処理が施された第９サイド反射部材５２１ｉの上部後面側には、第８サイドＬＥＤランプ５０８ｈと対向して光を反射可能な後側反射面５２２ｉが形成される。表面に銀色メッキ処理が施された第９サイド反射部材５２１ｉの下部前面側には、第８サイド反射部材５２１ｈの後側反射面５２２ｈで反射した光を反射可能な前側反射面５２３ｉが形成される。これにより、第７サイドＬＥＤランプ５０８ｇから発光した光は、第８サイド反射部材５２１ｈの後側反射面５２２ｈと、第９サイド反射部材５２１ｉの前側反射面５２３ｉとに少なくとも一回以上反射して、上部ランプカバー５４７を透過するようになっている。また、第９サイド反射部材５２１ｉの左右後部には、第２サイド反射部材５２１ｂと同様の係合穴部（図示せず）が形成される。
【０１１７】
第１０サイド反射部材５２１ｊは、後面側が上部サイドランプ基板５０７の実装面と対向してサイドランプハウス５３１の上部に取り付けられる。第１０サイド反射部材５２１ｊの上方に近接して隣り合う第１１サイド反射部材５２１ｋとの間には、３つの第９サイドＬＥＤランプ５０８ｉが配置されるようになっている。第１０サイド反射部材５２１ｊは、第２サイド反射部材５２１ｂと同様に、表面に銀色メッキ処理を施すことが可能な樹脂材料を用いて、上端部が第９サイドＬＥＤランプ５０８ｉを跨いで第１１サイド反射部材５２１ｋの前方側に重なるように湾曲して形成される。表面に銀色メッキ処理が施された第１０サイド反射部材５２１ｊの上部後面側には、第９サイドＬＥＤランプ５０８ｉと対向して光を反射可能な後側反射面５２２ｊが形成される。表面に銀色メッキ処理が施された第１０サイド反射部材５２１ｊの下部前面側には、第９サイド反射部材５２１ｉの後側反射面５２２ｉで反射した光を反射可能な前側反射面５２３ｊが形成される。これにより、第８サイドＬＥＤランプ５０８ｈから発光した光は、第９サイド反射部材５２１ｉの後側反射面５２２ｉと、第１０サイド反射部材５２１ｊの前側反射面５２３ｊとに少なくとも一回以上反射して、上部ランプカバー５４７を透過するようになっている。また、第１０サイド反射部材５２１ｊの左右後部には、第２サイド反射部材５２１ｂと同様の係合穴部（図示せず）が形成される。
【０１１８】
第１１サイド反射部材５２１ｋは、後面側が上部サイドランプ基板５０７の実装面と対向してサイドランプハウス５３１の上端部に取り付けられる。第１１サイド反射部材５２１ｋは、表面に銀色メッキ処理を施すことが可能な樹脂材料を用いて、第１０サイド反射部材５２１ｊと同様に形成される。表面に銀色メッキ処理が施された第１１サイド反射部材５２１ｋの下部前面側には、第１０サイド反射部材５２１ｊの後側反射面５２２ｊで反射した光を反射可能な前側反射面５２３ｋが形成される。これにより、第９サイドＬＥＤランプ５０８ｉから発光した光は、第１０サイド反射部材５２１ｊの後側反射面５２２ｊと、第１１サイド反射部材５２１ｋの前側反射面５２３ｋとに少なくとも一回以上反射して、上部ランプカバー５４７を透過するようになっている。
【０１１９】
第１１サイド反射部材５２１ｋの上部には、装飾部材取付部５２９ｋが形成されており、この装飾部材取付部５２９ｋに上部装飾部材５１７が取り付けられるようになっている。また、第１１サイド反射部材５２１ｋの左右後部には、第２サイド反射部材５２１ｂと同様の係合穴部（図示せず）が形成される。
【０１２０】
下部装飾部材５１１は、樹脂材料を用いて表面に銀色メッキ処理が施されて形成され、第１サイド反射部材５２１ａの装飾部材取付部５２９ａに取り付けられる。また、下部装飾部材５１１の上部に、下部ランプカバー５４１の下縁部が当接するようになっている。
【０１２１】
中部装飾部材５１４は、透明の樹脂材料を用いて形成され、導光部材としてサイドランプハウス５３１の内側縁部における第７サイド反射部材５２１ｇと第８サイド反射部材５２１ｈとの間に並んで取り付けられる。中部装飾部材５１４の後方に、上部サイドランプ基板５０７の電飾用ＬＥＤランプ５０９が配置され、電飾用ＬＥＤランプ５０９から発光した光が中部装飾部材５１４を透過して、中部装飾部材５１４が発光するようになっている。また、中部装飾部材５１４の下部前側に、下部ランプカバー５４１の上縁部が当接するようになっている。また、中部装飾部材５１４の上部前側に、カバー型装飾部材５４４の下部が繋がるようになっている。
【０１２２】
カバー型装飾部材５４４は、黒色不透明の樹脂材料を用いて、上下方向に延びるカバー状に形成される。カバー型装飾部材５４４は、サイドランプハウス５３１の内側に取り付けられた第８サイド反射部材５２１ｈの前方を覆って、第８サイド反射部材５２１ｈの装飾部材取付部５２８ｈに取り付けられる。また、カバー型装飾部材５４４の上縁部に、上部ランプカバー５４７の下縁部が当接するようになっている。
【０１２３】
上部装飾部材５１７は、樹脂材料を用いて形成され、第１１サイド反射部材５２１ｋの装飾部材取付部５２９ｋに取り付けられる。上部装飾部材５１７は、第１１サイド反射部材５２１ｋとともにサイドランプハウス５３１の内側縁部の上端に取り付けられる。また、上部装飾部材５１７の下部前側に、上部ランプカバー５４７の上縁部が当接するようになっている。
【０１２４】
サイドランプハウス５３１は、樹脂材料を用いて、上下方向に長く延びて前方が開口した箱状に形成される。サイドランプハウス５３１の内側には、各サイドランプ基板５０１，５０４，５０７の実装面が前方を向くように、３つのサイドランプ基板５０１，５０４，５０７がそれぞれ収容保持される。また、サイドランプハウス５３１の内側縁部には、第１〜第１１サイド反射部材５２１ａ〜５２１ｋと、中部装飾部材５１４および上部装飾部材５１７が取り付けられるようになっている。サイドランプハウス５３１の底部には、第１〜第１１サイド反射部材５２１ａ〜５２１ｋの係合穴部５２５に係合可能な係合突起５３２が複数形成されている。サイドランプハウス５３１の内側縁部には、第２〜第７サイド反射部材５２１ｂ〜５２１ｇの係止穴部５２４や、中部装飾部材５１４および上部装飾部材５１７の左右側部に形成された係止穴部（図示せず）に係止可能な反射部材係止爪５３３が複数形成されている。サイドランプハウス５３１の左右側部には、下部ランプカバー５４１の係止穴部５４２や、上部ランプカバー５４７の係止穴部５４８に係止可能なカバー係止爪５３４が複数形成されている。
【０１２５】
下部ランプカバー５４１は、スモーク状の半透明の樹脂材料を用いて、上下方向に長く延びて後方が開口した蓋状に形成される。下部ランプカバー５４１は、サイドランプハウス５３１の内側に取り付けられた、下部サイドランプ基板５０１および中部サイドランプ基板５０４と、第１〜第７サイド反射部材５２１ａ〜５２１ｇの前方を覆って、サイドランプハウス５３１の前部下側に結合される。
【０１２６】
上部ランプカバー５４７は、スモーク状の半透明の樹脂材料を用いて、上下方向に長く延びて後方が開口した蓋状に形成される。上部ランプカバー５４７は、サイドランプハウス５３１の内側に取り付けられた、上部サイドランプ基板５０７と、第８サイド反射部材５２１ｈの側方および第９〜第１１サイド反射部材５２１ｉ〜５２１ｋの前方を覆って、サイドランプハウス５３１の前部上側に結合される。
【０１２７】
以上のように構成される左サイドランプ５００において、第１サイドＬＥＤランプ５０２ａから発光した光は、第１サイド反射部材５２１ａの後側反射面５２２ａと、第２サイド反射部材５２１ｂの前側反射面５２３ｂとに反射して、下部ランプカバー５４１を透過する。第２サイドＬＥＤランプ５０２ｂから発光した光は、第２サイド反射部材５２１ｂの後側反射面５２２ｂと、第３サイド反射部材５２１ｃの前側反射面５２３ｃとに反射して、下部ランプカバー５４１を透過する。第３サイドＬＥＤランプ５０２ｃから発光した光は、第３サイド反射部材５２１ｃの後側反射面５２２ｃと、第４サイド反射部材５２１ｄの前側反射面５２３ｄとに反射して、下部ランプカバー５４１を透過する。第４サイドＬＥＤランプ５０２ｄから発光した光は、第４サイド反射部材５２１ｄの後側反射面５２２ｄと、第５サイド反射部材５２１ｅの前側反射面５２３ｅとに反射して、下部ランプカバー５４１を透過する。第５サイドＬＥＤランプ５０２ｅから発光した光は、第５サイド反射部材５２１ｅの後側反射面５２２ｅと、第６サイド反射部材５２１ｆの前側反射面５２３ｆとに反射して、下部ランプカバー５４１を透過する。第６サイドＬＥＤランプ５０５ｆから発光した光は、第６サイド反射部材５２１ｆの後側反射面５２２ｆと、第７サイド反射部材５２１ｇの前側反射面５２３ｇとに反射して、下部ランプカバー５４１を透過する。
【０１２８】
第７サイドＬＥＤランプ５０８ｇから発光した一部の光は、第８サイド反射部材５２１ｈの後側反射面５２２ｈと、第９サイド反射部材５２１ｉの前側反射面５２３ｉとに反射して、上部ランプカバー５４７を透過する。また、第７サイドＬＥＤランプ５０８ｇから発光した他の光は、第８サイド反射部材５２１ｈを透過して、第８サイド反射部材５２１ｈの側部が上部ランプカバー５４７を通して発光する。第８サイドＬＥＤランプ５０８ｈから発光した光は、第９サイド反射部材５２１ｉの後側反射面５２２ｉと、第１０サイド反射部材５２１ｊの前側反射面５２３ｊとに反射して、上部ランプカバー５４７を透過する。第９サイドＬＥＤランプ５０８ｉから発光した光は、第１０サイド反射部材５２１ｊの後側反射面５２２ｊと、第１１サイド反射部材５２１ｋの前側反射面５２３ｋとに反射して、上部ランプカバー５４７を透過する。
【０１２９】
これにより、左右のサイドランプ５００，５５０は、第１〜第１１サイド反射部材５２１ａ〜５２１ｋにおける複数の間隙部から、下部ランプカバー５４１または上部ランプカバー５４７を通して、第１〜第１１サイド反射部材５２１ａ〜５２１ｋの輪郭形状に沿って明暗がぼやけて現れる柔らかい印象を与える光を発光することができる。そのため、間接照明のように明部と暗部の境界がぼやける装飾性の高い光演出を行うことができ、スロットマシンＳＭの装飾性を高めることが可能になる。なお、第７サイドＬＥＤランプ５０８ｇから発光した光の一部は、透光性を有する第８サイド反射部材５２１ｈを透過して、第８サイド反射部材５２１ｈの側部が上部ランプカバー５４７を通して発光するようになっている。このようにして、左右のサイドランプ５００，５５０の一部において直接的な照明を行うことで、光の変化に富んだ装飾性の高い光演出を行うことができ、スロットマシンＳＭの装飾性を高めることが可能になる。
【０１３０】
［メインリール表示ユニットの構成］
次に、本実施形態に係るメインリール表示ユニット６００について図３１〜図３４を参照して説明する。メインリール表示ユニット６００は、図３３に示すように、上部マスク部材６１０と、窓枠部材６３０と、支持枠部材６４０と、窓カバー６５０と、内カバー６５５（図３４を参照）と、上部エスカッション６６０とを有して構成される。上部マスク部材６１０は、図３１および図３３に示すように、樹脂材料を用いて各部に開口部を有したブロック状に形成され、前面扉２０の前面枠２１の上部に取り付けられる。上部マスク部材６１０の中央部下側には、窓枠部材６３０の形状に合わせて窓枠部材取付部６１１が形成されており、窓枠部材取付部６１１の前面側に窓枠部材６３０が取り付けられるようになっている。また、窓枠部材取付部６１１の後面側には、支持枠部材６４０、窓カバー６５０、内カバー６５５、および上部エスカッション６６０が取り付けられるようになっている。
【０１３１】
上部マスク部材６１０の左端部には、後述の左アップサイドランプ７００を構成する左ランプハウス部６１３が形成される。上部マスク部材６１０の右端部には、後述の右アップサイドランプ７５０を構成する右ランプハウス部６１５が形成される。上部マスク部材６１０の中央部上側には、後述のセンターランプユニット８００を構成する中央ランプハウス部６１７が形成される。
【０１３２】
上部マスク部材６１０の左側には、スピーカーの形状に合わせて開口した左スピーカー取付部６２０が形成され、左スピーカー取付部６２０の後面側に、左リアスピーカーカバー６２２とともに左上部スピーカーユニット３６が取り付けられるようになっている。左リアスピーカーカバー６２２は、樹脂材料を用いて有底筒状に形成され、左上部スピーカーユニット３６の後側を覆って左スピーカー取付部６２０の後面側に取り付けられる。また、左スピーカー取付部６２０の前面側は、窓枠部材６３０の左側に形成された左スピーカーカバー部６３２に覆われるようになっている。
【０１３３】
上部マスク部材６１０の右側には、スピーカーの形状に合わせて開口した右スピーカー取付部６２１が形成され、右スピーカー取付部６２１の後面側に、右リアスピーカーカバー６２３とともに右上部スピーカーユニット３７が取り付けられるようになっている。右リアスピーカーカバー６２３は、樹脂材料を用いて有底筒状に形成され、右上部スピーカーユニット３７の後側を覆って右スピーカー取付部６２１の後面側に取り付けられる。また、右スピーカー取付部６２１の前面側は、窓枠部材６３０の右側に形成された右スピーカーカバー部６３３に覆われるようになっている。
【０１３４】
窓枠部材６３０は、樹脂材料を用いて、中央にリール表示窓６３１を有する枠状に形成され、上部マスク部材６１０の窓枠部材取付部６１１に取り付けられる。リール表示窓６３１は、３つのメインリール１０２ａ，１０２ｂ，１０２ｃについてそれぞれ、各リールの回転軸の高さよりも上方にずらした位置で図柄を視認可能な大きさ、すなわち、各リールの回転軸よりも上方において横一列に並ぶ３つの図柄を視認可能な大きさの長方形状に形成される。このように、リール表示窓６３１を３つのメインリール１０２ａ，１０２ｂ，１０２ｃの回転軸よりも上方に配置することで、リール表示窓６３１の下方に設けられた画像表示装置４００（画像表示部４１０）の表示領域を上方に広げることができる。
【０１３５】
窓枠部材６３０の左側には、左スピーカーカバー部６３２が形成されており、左上部スピーカーユニット３６の前方を覆って上部マスク部材６１０の左スピーカー取付部６２０に取り付けられるようになっている。窓枠部材６３０の右側には、右スピーカーカバー部６３３が形成されており、右上部スピーカーユニット３７の前方を覆って上部マスク部材６１０の右スピーカー取付部６２１に取り付けられるようになっている。
【０１３６】
支持枠部材６４０は、メインリールユニット１００の前部形状に合わせた枠状に形成され、メインリールユニット１００が前方を向いて取り付けられるようになっている。支持枠部材６４０の後部上側には、メインリールユニット１００の爪部１４６が係止可能な爪係止部６４１が形成される。支持枠部材６４０の後部中央には、メインリールユニット１００の傾斜面部１４５が当接可能な傾斜面当接部６４２が形成される。支持枠部材６４０の後部下側には、メインリールユニット１００の突起部１４７が係合可能な突起係合部６４３が形成される。支持枠部材６４０は、ネジ等の固定部材を用いて、上部マスク部材６１０の窓枠部材取付部６１１の後面側に取り付け固定される。上部マスク部材６１０が前面扉２０の前面枠２１に取り付けられた状態で、支持枠部材６４０の後面側（傾斜面当接部６４２）は、前面扉２０の後面側の傾斜に合わせて略平行に、下後方を向くように傾斜するようになっている。
【０１３７】
窓カバー６５０は、透明の樹脂材料を用いて、リール表示窓６３１よりも若干大きい薄板状に形成される。上部エスカッション６６０は、樹脂材料を用いて、窓カバー６５０の外周形状に合わせた枠状に形成され、窓カバー６５０の外周部を保持して上部マスク部材６１０の窓枠部材取付部６１１の後面側に取り付けられる。これにより、リール表示窓６３１の後部が窓カバー６５０に塞がれた状態になる。内カバー６５５は、リール表示窓６３１の形状に合わせた矩形筒状に形成され、ネジ等の固定部材を用いて、支持枠部材６４０の枠内側に位置するように、上部マスク部材６１０の窓枠部材取付部６１１の後面側に取り付け固定される。これにより、前方からリール表示窓６３１が視認されたときに、３つのメインリール１０２ａ〜１０２ｃの周辺部分が内カバー６５５に覆われて、３つのメインリール１０２ａ〜１０２ｃの図柄のみを視認させることができる。
【０１３８】
以上のように構成されるメインリール表示ユニット６００に、メインリールユニット１００を取り付けるには、メインリールユニット１００の爪部１４６を支持枠部材６４０の爪係止部６４１に係止させ、メインリールユニット１００を支持枠部材６４０の後面側に引っ掛けて固定する。このとき、メインリールユニット１００の突起部１４７を支持枠部材６４０の突起係合部６４３に係合させて、メインリールユニット１００の支持部１４４に形成された傾斜面部１４５を支持枠部材６４０の傾斜面当接部６４２に当接させる。これにより、メインリールユニット１００は、支持枠部材６４０の後面側に引っ掛けて固定された状態で、上下方向への移動が規制される。そのため、メインリールユニット１００が支持枠部材６４０から外れて転落するのを防止することができる。そして、ネジ等の固定部材（図示せず）を用いて、メインリールユニット１００の前部上側（フランジ部１４３の上側）を支持枠部材６４０に取り付け固定するとともに、メインリールユニット１００の前部下側（フランジ部１４３の下側）を液晶ケース４１５のリール取付ボス４１７に取り付け固定する。
【０１３９】
このようにして、メインリール表示ユニット６００を構成する支持枠部材６４０の後面側に、メインリールユニット１００が前方を向いて取り付けられ、メインリールユニット１００のリール開口部１５２ａおよび、窓枠部材６３０のリール表示窓６３１を通して、３つのメインリール１０２ａ，１０２ｂ，１０２ｃに描かれている図柄を視認可能になる。なおこのとき、メインリールユニット１００の傾斜面部１４５が支持枠部材６４０の傾斜面当接部６４２に当接し、メインリールユニット１００が支持部１４４によって略水平に支持される。
【０１４０】
［アップサイドランプの構成］
次に、本実施形態に係る左右のアップサイドランプ７００，７５０について図３３および図３５〜図３６を参照して説明する。なお、左右のアップサイドランプ７００，７５０は、互いに左右対称（面対称）で同様の構成であるため、右アップサイドランプ７５０の詳細な説明を省略し、左アップサイドランプ７００について詳細な説明を行う。左アップサイドランプ７００は、図３３および図３５に示すように、上部マスク部材６１０に形成された左ランプハウス部６１３と、左アップサイドランプ基板７０１と、第１〜第５左アップサイド反射部材７２１ａ〜７２１ｅと、左ランプカバー７４１とを有して構成される。
【０１４１】
上部マスク部材６１０の左ランプハウス部６１３は、不図示のランプ穴（図示せず）を有するハウジング状に形成される。左ランプハウス部６１３の後面側に、左アップサイドランプ基板７０１が取り付けられるとともに、左ランプハウス部６１３の前面側に、第１〜第５左アップサイド反射部材７２１ａ〜７２１ｅと、左ランプカバー７４１が取り付けられるようになっている。
【０１４２】
左アップサイドランプ基板７０１は、図３３に示すように、逆Ｌ字形の細長い板状に形成される。左アップサイドランプ基板７０１の実装面には、第１〜第３アップサイドＬＥＤランプ７０２ａ〜７０２ｃと、左側電飾用ＬＥＤランプ７０３と、右側電飾用ＬＥＤランプ７０４が配設される。第１〜第３アップサイドＬＥＤランプ７０２ａ〜７０２ｃは、左アップサイドランプ基板７０１の上側においてこの順に左から右へ２つずつ並んで配置される。左側電飾用ＬＥＤランプ７０３は、左アップサイドランプ基板７０１の左下側に複数配置され、右側電飾用ＬＥＤランプ７０４は、左アップサイドランプ基板７０１の右上側に複数配置される。左アップサイドランプ基板７０１は、実装面が前方を向くように左ランプハウス部６１３の後面側に取り付け保持され、不図示のランプ穴（図示せず）を通じて、第１〜第３アップサイドＬＥＤランプ７０２ａ〜７０２ｃ、左側電飾用ＬＥＤランプ７０３、および右側電飾用ＬＥＤランプ７０４が前方に露出するように構成される。
【０１４３】
第１〜第５左アップサイド反射部材７２１ａ〜７２１ｅは、この順に左下方から右上方へ並んで配置される。第１〜第５左アップサイド反射部材７２１ａ〜７２１ｅは、後面側が左アップサイドランプ基板７０１の実装面と対向するように並んで、左ランプカバー７４１とともに左ランプハウス部６１３の前面内側に取り付けられるようになっている。
【０１４４】
図３６に示すように、第１左アップサイド反射部材７２１ａは、表面に銀色メッキ処理を施すことが可能な樹脂材料を用いて形成され、後面側が左アップサイドランプ基板７０１の実装面と対向して左ランプハウス部６１３の左下部に取り付けられる。第１左アップサイド反射部材７２１ａの後方に、左ランプハウス部６１３のランプ穴（図示せず）を通じて左アップサイドランプ基板７０１の左側電飾用ＬＥＤランプ７０３が配置される。表面に銀色メッキ処理が施された第１左アップサイド反射部材７２１ａの後面側には、左側電飾用ＬＥＤランプ７０３と対向して光を反射させることが可能な後側反射面７２２ａが形成される。これにより、左側電飾用ＬＥＤランプ７０３から発光した光は、後側反射面７２２ａで上方に反射するようになっている。
【０１４５】
第２左アップサイド反射部材７２１ｂは、後面側が左アップサイドランプ基板７０１の実装面と対向して左ランプハウス部６１３の上部左側に取り付けられる。第２左アップサイド反射部材７２１ｂの右方に近接して隣り合う第３左アップサイド反射部材７２１ｃとの間には、２つの第１アップサイドＬＥＤランプ７０２ａが配置されるようになっている。第２左アップサイド反射部材７２１ｂは、表面に銀色メッキ処理を施すことが可能な樹脂材料を用いて、右端部が第１アップサイドＬＥＤランプ７０２ａを跨いで第３左アップサイド反射部材７２１ｃの前方側に重なるように湾曲して形成される。表面に銀色メッキ処理が施された第２左アップサイド反射部材７２１ｂの右部後面側には、第１アップサイドＬＥＤランプ７０２ａと対向して光を反射可能な後側反射面７２２ｂが形成される。第２左アップサイド反射部材７２１ｂの左部前面側には、第１左アップサイド反射部材７２１ａの後側反射面７２２ａで反射した光を反射可能な前側反射面７２３ｂが形成される。また、第２左アップサイド反射部材７２１ｂには、左ランプカバー７４１の内側に形成された係止凹部（図示せず）に係止可能な係止爪部７２４ｂが形成される。また、第２左アップサイド反射部材７２１ｂの下側には、第１左アップサイド反射部材７２１ａの後側反射面７２２ａで反射した光を第２左アップサイド反射部材７２１ｂの後面側から前面側に導く採光穴部７２５ｂが細長い円弧状に形成される。
【０１４６】
第３左アップサイド反射部材７２１ｃは、後面側が左アップサイドランプ基板７０１の実装面と対向して左ランプハウス部６１３の上部左側に取り付けられる。第３左アップサイド反射部材７２１ｃの右方に近接して隣り合う第４左アップサイド反射部材７２１ｄとの間には、２つの第２アップサイドＬＥＤランプ７０２ｂが配置されるようになっている。第３左アップサイド反射部材７２１ｃは、透光性を有する透明もしくは半透明の樹脂材料を用いて、右端部が第２アップサイドＬＥＤランプ７０２ｂを跨いで第４左アップサイド反射部材７２１ｄの前方側に重なるように湾曲して形成される。第３左アップサイド反射部材７２１ｃの右部後面側には、第２アップサイドＬＥＤランプ７０２ｂと対向して光を反射可能な後側反射面７２２ｃが形成される。第３左アップサイド反射部材７２１ｃの左部前面側には、第２左アップサイド反射部材７２１ｂの後側反射面７２２ｂで反射した光を反射可能な前側反射面７２３ｃが形成される。これにより、第１アップサイドＬＥＤランプ７０２ａから発光した一部の光は、第２左アップサイド反射部材７２１ｂの後側反射面７２２ｂと、第３左アップサイド反射部材７２１ｃの前側反射面７２３ｃとに少なくとも一回以上反射して、左ランプカバー７４１を透過するようになっている。
【０１４７】
第４左アップサイド反射部材７２１ｄは、後面側が左アップサイドランプ基板７０１の実装面と対向して左ランプハウス部６１３の上部左側に取り付けられる。第４左アップサイド反射部材７２１ｄの右方に近接して隣り合う第５左アップサイド反射部材７２１ｅとの間には、２つの第３アップサイドＬＥＤランプ７０２ｃが配置されるようになっている。第４左アップサイド反射部材７２１ｄは、表面に銀色メッキ処理を施すことが可能な樹脂材料を用いて、右端部が第３アップサイドＬＥＤランプ７０２ｃを跨いで第５左アップサイド反射部材７２１ｅの前方側に重なるように湾曲して形成される。表面に銀色メッキ処理が施された第４左アップサイド反射部材７２１ｄの右部後面側には、第３アップサイドＬＥＤランプ７０２ｃと対向して光を反射可能な後側反射面７２２ｄが形成される。表面に銀色メッキ処理が施された第４左アップサイド反射部材７２１ｄの左部前面側には、第３左アップサイド反射部材７２１ｃの後側反射面７２２ｃで反射した光および、第３左アップサイド反射部材７２１ｃを透過して後方に射出された光を反射可能な前側反射面７２３ｄが形成される。これにより、第２アップサイドＬＥＤランプ７０２ｂから発光した一部の光は、第３左アップサイド反射部材７２１ｃの後側反射面７２２ｃと、第４左アップサイド反射部材７２１ｄの前側反射面７２３ｄとに少なくとも一回以上反射して、左ランプカバー７４１を透過するようになっている。また、第２左アップサイド反射部材７２１ｂの後側反射面７２２ｂで反射して第３左アップサイド反射部材７２１ｃを透過した光が、第４左アップサイド反射部材７２１ｄの前側反射面７２３ｄで反射し、左ランプカバー７４１を透過するようになっている。また、第４左アップサイド反射部材７２１ｄには、左ランプカバー７４１の内側に形成された係止凹部（図示せず）に係止可能な係止爪部７２４ｄが形成される。
【０１４８】
第５左アップサイド反射部材７２１ｅは、後面側が左アップサイドランプ基板７０１の実装面と対向して左ランプハウス部６１３の上部中央に取り付けられる。第５左アップサイド反射部材７２１ｅは、透光性を有する透明もしくは半透明の樹脂材料を用いて、第３左アップサイド反射部材７２１ｃと同様に形成される。第５左アップサイド反射部材７２１ｅの左部前面側には、第４左アップサイド反射部材７２１ｄの後側反射面７２２ｄで反射した光を反射可能な前側反射面７２３ｅが形成される。これにより、第３アップサイドＬＥＤランプ７０２ｃから発光した一部の光は、第４左アップサイド反射部材７２１ｄの後側反射面７２２ｄと、第５左アップサイド反射部材７２１ｅの前側反射面７２３ｅとに少なくとも一回以上反射して、左ランプカバー７４１を透過するようになっている。
【０１４９】
また、第５左アップサイド反射部材７２１ｅの右部後面側には、右側電飾用ＬＥＤランプ７０４と対向して光を透過可能な後側採光面７２２ｅが形成される。これにより、右側電飾用ＬＥＤランプ７０４から発光した光が第５左アップサイド反射部材７２１ｅおよび左ランプカバー７４１を透過するようになっている。
【０１５０】
左ランプカバー７４１は、図３５に示すように、スモーク状の半透明の樹脂材料を用いて、逆Ｌ字形に延びて後方が開口した蓋状に形成される。左ランプカバー７４１は、第１〜第５左アップサイド反射部材７２１ａ〜７２１ｅの前方を覆う状態で、第２左アップサイド反射部材７２１ｂおよび第４左アップサイド反射部材７２１ｄと結合され、第１〜第５左アップサイド反射部材７２１ａ〜７２１ｅとともに左ランプハウス部６１３の前面側に取り付けられる。
【０１５１】
以上のように構成される左アップサイドランプ７００において、第１アップサイドＬＥＤランプ７０２ａから発光した一部の光は、第２左アップサイド反射部材７２１ｂの後側反射面７２２ｂと、第３左アップサイド反射部材７２１ｃの前側反射面７２３ｃとに反射して、左ランプカバー７４１を透過する。また、第１アップサイドＬＥＤランプ７０２ａから発光した他の光は、第２左アップサイド反射部材７２１ｂの後側反射面７２２ｂで反射し、第３左アップサイド反射部材７２１ｃを透過し、第４左アップサイド反射部材７２１ｄの前側反射面７２３ｄで反射して、左ランプカバー７４１を透過する。第２アップサイドＬＥＤランプ７０２ｂから発光した一部の光は、第３左アップサイド反射部材７２１ｃの後側反射面７２２ｃと、第４左アップサイド反射部材７２１ｄの前側反射面７２３ｄとに反射して、左ランプカバー７４１を透過する。また、第２アップサイドＬＥＤランプ７０２ｂから発光した他の光は、第３左アップサイド反射部材７２１ｃを透過して、左ランプカバー７４１を透過する。第３アップサイドＬＥＤランプ７０２ｃから発光した一部の光は、第４左アップサイド反射部材７２１ｄの後側反射面７２２ｄと、第５左アップサイド反射部材７２１ｅの前側反射面７２３ｅとに反射して、左ランプカバー７４１を透過する。
【０１５２】
このようにして、左アップサイドランプ７００は、第２〜第５左アップサイド反射部材７２１ｂ〜７２１ｅにおける複数の間隙部から、左ランプカバー７４１を通して、第２左アップサイド反射部材７２１ｂおよび第４左アップサイド反射部材７２１ｄの輪郭形状に沿って明暗がぼやけて現れる柔らかい印象を与える光を発光することができる。そのため、間接照明のように明部と暗部の境界がぼやける装飾性の高い光演出を行うことができ、スロットマシンＳＭの装飾性を高めることが可能になる。なお、前述したように、第２アップサイドＬＥＤランプ７０２ｂから発光した他の光は、透光性を有する第３左アップサイド反射部材７２１ｃを透過して、第３左アップサイド反射部材７２１ｃが左ランプカバー７４１を通して発光するようになっている。また、右側電飾用ＬＥＤランプ７０４から発光した光は、透光性を有する第５左アップサイド反射部材７２１ｅを透過して、第５左アップサイド反射部材７２１ｅが左ランプカバー７４１を通して発光するようになっている。このようにして、左アップサイドランプ７００の一部において直接的な照明を行うことで、光の変化に富んだ装飾性の高い光演出を行うことができ、スロットマシンＳＭの装飾性を高めることが可能になる。なお、左側電飾用ＬＥＤランプ７０３から発光した光は、第１左アップサイド反射部材７２１ａの後側反射面７２２ａで上方に反射し、第２左アップサイド反射部材７２１ｂの採光穴部７２５ｂを通って前側反射面７２３ｂで前方に反射し、左ランプカバー７４１を透過する。
【０１５３】
なお、図３３に示すように、右アップサイドランプ７５０は、左アップサイドランプ７００と同様に、上部マスク部材６１０に形成された右ランプハウス部６１５と、右アップサイドランプ基板７５１と、第１〜第５右アップサイド反射部材７７１ａ〜７７１ｅと、右ランプカバー７９１とを有して構成される。上部マスク部材６１０の右ランプハウス部６１５は、左右対称な形状である他は、左ランプハウス部６１３と同様の構成である。また、右アップサイドランプ基板７５１、第１〜第５右アップサイド反射部材７７１ａ〜７７１ｅ、および右ランプカバー７９１は、左右対称な形状である他は、左アップサイドランプ基板７０１、第１〜第５左アップサイド反射部材７２１ａ〜７２１ｅ、および左ランプカバー７４１と同様の構成である。そのため、右アップサイドランプ７５０についても、上述した左アップサイドランプ７００と同様の効果を得ることができる。
【０１５４】
［センターランプユニットの構成］
次に、本実施形態に係るセンターランプユニット８００について図３３、図３５、および図３７〜図４７を参照して説明する。センターランプユニット８００は、図３３および図３５に示すように、上部マスク部材６１０に形成された中央ランプハウス部６１７と、センターランプ基板８０１と、センターランプ部８１０と、電飾部８６０とを有して構成される。
【０１５５】
上部マスク部材６１０の中央ランプハウス部６１７は、不図示のランプ穴（図示せず）を有するハウジング状に形成される。中央ランプハウス部６１７の後面側に、センターランプ基板８０１が取り付けられるとともに、中央ランプハウス部６１７の前面側に、センターランプ部８１０および電飾部８６０が取り付けられるようになっている。
【０１５６】
センターランプ基板８０１は、図４３に示すように、左右方向に延びる板状に形成される。センターランプ基板８０１の実装面には、第１〜第３センターＬＥＤランプ８０２ａ〜８０２ｃと、左右のセンター電飾用ＬＥＤランプ８０３ａ，８０３ｂが配設される。第１〜第３センターＬＥＤランプ８０２ａ〜８０２ｃは、センターランプ基板８０１の上側においてこの順に上から下へＶ字形の列に並んで配置される。左センター電飾用ＬＥＤランプ８０３ａは、センターランプ基板８０１の左下側に複数配置され、右センター電飾用ＬＥＤランプ８０３ｂは、センターランプ基板８０１の右下側に複数配置される。センターランプ基板８０１は、図３９および図４４に示すように、実装面が前方を向くように中央ランプハウス部６１７の後面側に取り付け保持され、不図示のランプ穴（図示せず）を通じて、第１〜第３センターＬＥＤランプ８０２ａ〜８０２ｃと、左右のセンター電飾用ＬＥＤランプ８０３ａ，８０３ｂが前方に露出するように構成される。
【０１５７】
センターランプ部８１０は、図３５および図３９に示すように、第１〜第４センター反射部材８２１ａ〜８２１ｄと、センターランプカバー８４１とを有して構成される。第１〜第４センター反射部材８２１ａ〜８２１ｄは、この順に上から下へ並んで配置される。第１〜第４センター反射部材８２１ａ〜８２１ｄは、後面側がセンターランプ基板８０１の実装面と対向するように並んで、センターランプカバー８４１とともに中央ランプハウス部６１７の前面内側に取り付けられるようになっている。
【０１５８】
図３９および図４１〜図４２に示すように、第１センター反射部材８２１ａは、第１〜第４センター反射部材８２１ａ〜８２１ｄのうち一番上に配置されて、後面側がセンターランプ基板８０１の実装面と対向するようになっている。第１センター反射部材８２１ａの下方に近接して隣り合う第２センター反射部材８２１ｂとの間には、第１センターＬＥＤランプ８０２ａが配置されるようになっている。第１センター反射部材８２１ａは、表面に銀色メッキ処理を施すことが可能な樹脂材料を用いて、下端部が第１センターＬＥＤランプ８０２ａを跨いで第２センター反射部材８２１ｂの前方側に重なるように湾曲して形成される。第１センター反射部材８２１ａの下部後面側には、第１センターＬＥＤランプ８０２ａと対向して光を反射可能な後側反射面８２２ａが形成される。第１センター反射部材８２１ａの上部には、センターランプカバー８４１の上部後側に形成された係止穴部８４２に係止可能な係止爪部８２４ａが形成される。
【０１５９】
第２センター反射部材８２１ｂは、ネジ等の結合部材（図示せず）により第１センター反射部材８２１ａの下側に結合されて、後面側がセンターランプ基板８０１の実装面と対向するようになっている。第２センター反射部材８２１ｂの下方に近接して隣り合う第３センター反射部材８２１ｃとの間には、Ｖ字形に並ぶ５つの第２センターＬＥＤランプ８０２ｂが配置されるようになっている。第２センター反射部材８２１ｂは、表面に銀色メッキ処理を施すことが可能な樹脂材料を用いて、下端部が第２センターＬＥＤランプ８０２ｂを跨いで第３センター反射部材８２１ｃの前方側に重なるように湾曲して形成される。表面に銀色メッキ処理が施された第２左アップサイド反射部材７２１ｂの下部後面側には、第２センターＬＥＤランプ８０２ｂと対向して光を反射可能な後側反射面８２２ｂが形成される。表面に銀色メッキ処理が施された第２センター反射部材８２１ｂの上部前面側には、第１センター反射部材８２１ａの後側反射面８２２ａで反射した光を反射可能な前側反射面８２３ｂが形成される。これにより、第１センターＬＥＤランプ８０２ａから発光した光は、第１センター反射部材８２１ａの後側反射面８２２ａと、第２センター反射部材８２１ｂの前側反射面８２３ｂとに少なくとも一回以上反射して、センターランプカバー８４１を透過するようになっている。
【０１６０】
第３センター反射部材８２１ｃは、ネジ等の結合部材（図示せず）により、第２センター反射部材８２１ｂを挟むように第１センター反射部材８２１ａの下側に結合されて、後面側がセンターランプ基板８０１の実装面と対向するようになっている。第３センター反射部材８２１ｃの下方に近接して隣り合う第４センター反射部材８２１ｄとの間には、Ｖ字形に並ぶ７つの第３センターＬＥＤランプ８０２ｃが配置されるようになっている。第３センター反射部材８２１ｃは、表面に銀色メッキ処理を施すことが可能な樹脂材料を用いて、下端部が第３センターＬＥＤランプ８０２ｃを跨いで第４センター反射部材８２１ｄの前方側に重なるように湾曲して形成される。表面に銀色メッキ処理が施された第３センター反射部材８２１ｃの下部後面側には、第３センターＬＥＤランプ８０２ｃと対向して光を反射可能な後側反射面８２２ｃが形成される。表面に銀色メッキ処理が施された第３センター反射部材８２１ｃの下部前面側には、第２センター反射部材８２１ｂの後側反射面８２２ｂで反射した光を反射可能な前側反射面８２３ｃが形成される。これにより、第２アップサイドＬＥＤランプ７０２ｂから発光した光は、第２センター反射部材８２１ｂの後側反射面８２２ｂと、第３センター反射部材８２１ｃの前側反射面８２３ｃとに少なくとも一回以上反射して、センターランプカバー８４１を透過するようになっている。
【０１６１】
第３センター反射部材８２１ｃの後端部は、略鉛直上方に折れ曲がって形成されており、第３センター反射部材８２１ｃの後端部中央には、５つの第２センターＬＥＤランプ８０２ｂのうち中央の３つを前方に露出させる３つのランプ露出穴８２５ｃが形成されている。このランプ露出穴８２５ｃには、図４０に示すようにセンターランプ部８１０の斜め下前方から、第２センター反射部材８２１ｂと第３センター反射部材８２１ｃとの間隙を通じて第２センターＬＥＤランプ８０２ｂが視認されるのを防ぐ突起状のランプ隠し部８２６ｃが形成されている。
【０１６２】
第４センター反射部材８２１ｄは、ネジ等の結合部材（図示せず）により第３センター反射部材８２１ｃの下側に結合されて、後面側がセンターランプ基板８０１の実装面と対向するようになっている。第４センター反射部材８２１ｄは、表面に銀色メッキ処理を施すことが可能な樹脂材料を用いて、第３センター反射部材８２１ｃと同様に形成される。第４センター反射部材８２１ｄの上部前面側には、第３センター反射部材８２１ｃの後側反射面８２２ｃで反射した光を反射可能な前側反射面８２３ｄが形成される。これにより、第３センターＬＥＤランプ８０２ｃから発光した光は、第３センター反射部材８２１ｃの後側反射面８２２ｃと、第４センター反射部材８２１ｄの前側反射面８２３ｄとに少なくとも一回以上反射して、センターランプカバー８４１を透過するようになっている。
【０１６３】
第４センター反射部材８２１ｄの後端部上側には、図４０に示すようにセンターランプ部８１０の斜め下前方から、第３センター反射部材８２１ｃと第４センター反射部材８２１ｄとの間隙を通じて第３センターＬＥＤランプ８０２ｃが視認されるのを防ぐ突起状のランプ隠し部８２６ｄが複数形成されている。第４センター反射部材８２１ｄの後端部下側は、略鉛直下方に板状に延びて形成される。板状に延びる第４センター反射部材８２１ｄの後端部下側には、取付穴部８２７ｄが左右に２つ形成されており、この取付穴部８２７ｄに、第１〜第４センター反射部材８２１ａ〜８２１ｄを中央ランプハウス部６１７の前面側に取り付けるための取り付けネジ（図示せず）が挿通されるようになっている。また、第４センター反射部材８２１ｄの後端部下側には、後方に突出する位置決めピン８２８ｄが左右に２つ形成されている。
【０１６４】
センターランプカバー８４１は、図３５および図３８に示すように、スモーク状の半透明の樹脂材料を用いて、後方が開口した箱状に形成される。センターランプカバー８４１は、第１〜第４センター反射部材８２１ａ〜８２１ｄの前方を覆う状態で、第１センター反射部材８２１ａおよび第４センター反射部材８２１ｄと結合され、第１〜第４センター反射部材８２１ａ〜８２１ｄとともに中央ランプハウス部６１７の前面側に取り付けられる。センターランプカバー８４１の上部後側は、左右２か所において後方へ突出する板状に形成される。センターランプカバー８４１の上部後側における板状部分には、第１センター反射部材８２１ａの係止爪部８２４ａが係止可能な係止穴部８４２が形成されている。センターランプカバー８４１の下部には、取付穴部８４３が第４センター反射部材８２１ｄの取付穴部８２７ｄと位置整合して左右に２つ形成されている。センターランプカバー８４１の取付穴部８４３には、第４センター反射部材８２１ｄの取付穴部８２７ｄに挿通された取り付けネジ（図示せず）が螺合されるようになっている。
【０１６５】
電飾部８６０は、図３５および図４４に示すように、左導光部材８６１と、右導光部材８６６と、センター装飾部材８７０とを有して構成され、センターランプ部８１０の下側に重なって配置されるようになっている。電飾部８６０は、左導光部材８６１および右導光部材８６６を発光させて、小役等に当選した旨を報知することができるようになっている。左導光部材８６１は、図４５に示すように、透明の樹脂材料を用いて、前後方向に延びる板状に形成される。左導光部材８６１は、センター装飾部材８７０の左挿通穴８７１に後方から挿通された状態で、センター装飾部材８７０の後方内側に収容されて取り付けられるようになっている。左導光部材８６１の基端部（以下、左基端部８６２と称する）は、左センター電飾用ＬＥＤランプ８０３ａと対向するようになっている。一方、左導光部材８６１の先端部（以下、左先端部８６３と称する）は、センター装飾部材８７０の左挿通穴８７１から僅かに前方に突出して外部露出するようになっている。これにより、左センター電飾用ＬＥＤランプ８０３ａで発光した光が左基端部８６２に入射して左先端部８６３から射出され、当該左先端部８６３が発光するようになっている。左導光部材８６１の中間部には、左フランジ部８６４が形成されており、ネジ等の固定部材（図示せず）により、左フランジ部８６４がセンター装飾部材８７０の後面側に取り付け固定されるようになっている。
【０１６６】
右導光部材８６６は、透明の樹脂材料を用いて、前後方向に延びる板状に形成される。なお、右導光部材８６６は、左導光部材８６１と左右対称に形成される。センター装飾部材８７０の右挿通穴８７６に後方から挿通された状態で、センター装飾部材８７０の後方内側に収容されて取り付けられるようになっている。図４４に示すように、右導光部材８６６の基端部（以下、右基端部８６７と称する）は、右センター電飾用ＬＥＤランプ８０３ｂと対向するようになっている。一方、右導光部材８６６の先端部（以下、右先端部８６８と称する）は、センター装飾部材８７０の右挿通穴８７６から僅かに前方に突出して外部露出するようになっている。これにより、右センター電飾用ＬＥＤランプ８０３ｂで発光した光が右基端部８６７に入射して右先端部８６８から射出され、当該右先端部８６８が発光するようになっている。右導光部材８６６の中間部には、右フランジ部８６９が形成されており、ネジ等の固定部材（図示せず）により、右フランジ部８６９がセンター装飾部材８７０の後面側に取り付け固定されるようになっている。
【０１６７】
センター装飾部材８７０は、図３５および図３８に示すように、表面に銀色メッキ処理を施すことが可能な樹脂材料を用いて、後方が開口した箱状に形成される。センター装飾部材８７０は、左導光部材８６１および右導光部材８６６が後方内側に収容された状態で、中央ランプハウス部６１７の前面側におけるセンターランプ部８１０の下側に重なって取り付けられる。なお、図３１および図３７に示すように、表面に銀色メッキ処理が施されたセンター装飾部材８７０の前部は、外部露出するようになっている。また、図３８に示すように、センター装飾部材８７０の後面側には、後方に突出する位置決めピン８７９が左右に２つ形成されている。
【０１６８】
センター装飾部材８７０の左側には、図３７に示すように、左挿通穴８７１が前後に貫通して形成されており、この左挿通穴８７１に左導光部材８６１が後方から挿通されて取り付けられるようになっている。センター装飾部材８７０の前面左側には、左凹部８７２が左挿通穴８７１の周囲を囲むように凹んで形成される。図４６に示すように、銀色メッキ処理により鏡面状に形成された左凹部８７２の表面の一部には、左センター電飾用ＬＥＤランプ８０３ａが発光すると左導光部材８６１の左先端部８６３と同様に発光しているように視認される左側発光領域８７２ａ（図４６の二点鎖線の外側の領域）が、左凹部８７２の上縁部表面に（左上壁部の下側に）沿って形成されるようになっている。また、左凹部８７２の表面の下側部分には、左センター電飾用ＬＥＤランプ８０３ａが発光すると左先端部８６３および左側発光領域８７２ａに囲まれる左側非発光領域８７２ｂ（図４６の二点鎖線の内側の領域）が、所定の外周形状（例えば、動物の目を模した形状）を有して視認されるように形成される。
【０１６９】
センター装飾部材８７０の右側には、図３７に示すように、右挿通穴８７６が前後に貫通して形成されており、この右挿通穴８７６に右導光部材８６６が後方から挿通されて取り付けられるようになっている。センター装飾部材８７０の前面右側には、右凹部８７７が右挿通穴８７６の周囲を囲むように凹んで形成される。図４７に示すように、銀色メッキ処理により鏡面状に形成された右凹部８７７の表面の一部には、右センター電飾用ＬＥＤランプ８０３ｂが発光すると右導光部材８６６の右先端部８６８と同様に発光しているように視認される右側発光領域８７７ａ（図４７の二点鎖線の外側の領域）が、右凹部８７７の上縁部表面に（右上壁部８７８の下側に）沿って形成されるようになっている。また、右凹部８７７の表面の下側部分には、右センター電飾用ＬＥＤランプ８０３ｂが発光すると右先端部８６８および右側発光領域８７７ａに囲まれる右側非発光領域８７７ｂ（図４７の二点鎖線の内側の領域）が、所定の外周形状（例えば、動物の目を模した形状）を有して視認されるように形成される。なお、右挿通穴８７６および右凹部８７７は、左挿通穴８７１および左凹部８７２と左右対称に形成される。
【０１７０】
以上のように構成されるセンターランプ部８１０において、第１センターＬＥＤランプ８０２ａから発光した光は、第１センター反射部材８２１ａの後側反射面８２２ａと、第２センター反射部材８２１ｂの前側反射面８２３ｂとに反射して、センターランプカバー８４１を透過する。第２アップサイドＬＥＤランプ７０２ｂから発光した光は、第２センター反射部材８２１ｂの後側反射面８２２ｂと、第３センター反射部材８２１ｃの前側反射面８２３ｃとに反射して、センターランプカバー８４１を透過する。第３センターＬＥＤランプ８０２ｃから発光した光は、第３センター反射部材８２１ｃの後側反射面８２２ｃと、第４センター反射部材８２１ｄの前側反射面８２３ｄとに反射して、センターランプカバー８４１を透過する。
【０１７１】
このようにして、センターランプ部８１０は、第１〜第４センター反射部材８２１ａ〜８２１ｄにおける複数の間隙部から、センターランプカバー８４１を通して、第１〜第４センター反射部材８２１ａ〜８２１ｄの輪郭形状に沿って明暗がぼやけて現れる柔らかい印象を与える光を発光することができる。そのため、間接照明のように明部と暗部の境界がぼやける装飾性の高い光演出を行うことができ、スロットマシンＳＭの装飾性を高めることが可能になる。
【０１７２】
また、以上のように構成される電飾部８６０において、右センター電飾用ＬＥＤランプ８０３ｂで発光した光は、右導光部材８６６の右基端部８６７に入射して右先端部８６８から射出され、右導光部材８６６の右先端部８６８が発光する。このとき、右導光部材８６６の右先端部８６８から射出された光の一部は、図４４に示すように、センター装飾部材８７０の右凹部８７７の上方に形成された右上壁部８７８の下面に達して後方に反射し、右凹部８７７の右側発光領域８７７ａにおいて前方に反射する。これにより、センター装飾部材８７０の右凹部８７７における右側発光領域８７７ａは、右導光部材８６６の右先端部８６８と同様に発光しているように視認される。またこのとき、センター装飾部材８７０の右凹部８７７における右側非発光領域８７７ｂは、右先端部８６８および右側発光領域８７７ａに囲まれて、所定の外周形状（例えば、動物の目を模した形状）を有して視認される。
【０１７３】
一方、左センター電飾用ＬＥＤランプ８０３ａで発光した光は、左導光部材８６１の左基端部８６２に入射して左先端部８６３から射出され、左導光部材８６１の左先端部８６３が発光する。このとき、左導光部材８６１の左先端部８６３から射出された光の一部は、センター装飾部材８７０の左凹部８７２の上方に形成された左上壁部（図示せず）の下面に達して後方に反射し、左凹部８７２の左側発光領域８７２ａにおいて前方に反射する。これにより、センター装飾部材８７０の左凹部８７２における左側発光領域８７２ａは、左導光部材８６１の左先端部８６３と同様に発光しているように視認される。またこのとき、センター装飾部材８７０の左凹部８７２における左側非発光領域８７２ｂは、左先端部８６３および左側発光領域８７２ａに囲まれて、所定の外周形状（例えば、動物の目を模した形状）を有して視認される。
【０１７４】
このようにして、電飾部８６０は、左先端部８６３および右先端部８６８の発光時と、左先端部８６３および右先端部８６８の非発光時において、センター装飾部材８７０における左凹部８７２および右凹部８７７の見かけの形状を変化させることができる。そのため、電飾部８６０は、簡便な構成で変化に富んだ光演出を行うことができ、より多彩な演出を行うことが可能になる。
【０１７５】
［本実施形態における特徴構成］
［メインリールユニットの第１の特徴構成］
本実施形態において、メインリールケース１４１の後部に、第１〜第３メインリール１０２ａ〜１０２ｃの外周形状に合わせた断面視円弧状に形成されてメインリールブラケット１３１に保持された第１〜第３メインリール１０２ａ〜１０２ｃの後側が収容される後側リール収容部１４９と、リール開口部１５２ａが上方を向くようにメインリールケース１４１を支持して載置可能に構成された仮支持部１５０が設けられている。これにより、リール開口部１５２ａが上方を向くようにメインリールケース１４１を載置しても、仮支持部１５０によってメインリールケース１４１が安定して支持される。そのため、メインリールユニット１００の組み立て作業を行う際、メインリールケース１４１を載置する向きを容易に変えることが可能になり、メインリールユニット１００を容易に組み立てることができる。また、仮支持部１５０は、後側リール収容部１４９の湾曲面に対して前方側の四隅に配置されているため、仮支持部１５０が後側リール収容部１４９の後端部よりも後方に過剰に突出することがなく、メインリールユニット１００を小さくすることができる。
【０１７６】
また、メインリールケース１４１は、収容開口部１４２ａを通じて各メインリールブラケット１３１が複数並んで収容される後ケース部１４２と、収容開口部１４２ａを塞いで後ケース部１４２の前部に取り付けられる前ケース部１５２とを有し、前ケース部１５２の上部を各メインリールブラケット１３１の前上部に結合させる上側前部結合部材１９２と、各メインリールブラケット１３１の後部を後ケース部１４２の後部内側に結合させる後部結合部材１９１とを介して、前ケース部１５２（上部）が後ケース部１４２の前部に取り付けられるようになっている。これにより、メインリールケース１４１の前部上側にフランジ部を設ける必要がないため、メインリールユニット１００が基体部１０の内部上側に収容された状態で、基体部１０の天井部とメインリールユニット１００との間に生じるデッドスペースを少なくすることができる。そのため、メインリールユニット１００を基体部１０の内部においてできる限り上側に収容することが可能になり、メインリールユニット１００の配置の自由度を向上させることができる。また、前ケース部１５２の形状を変更するだけで、リール開口部１５２ａの形状を容易に変更することができるため、リール表示窓６３１の形状変更等に容易に対応することができる。
【０１７７】
また、メインリール中継基板１８１が収容される基板収容部１６１は、メインリールケース１４１の下側周縁部に形成されてメインリール中継基板１８１の周囲を囲む支持リブ１６２を有し、当該支持リブ１６２は、メインリール中継基板１８１が基板収容部１６１に収容された状態で、リール開口部１５２ａが略水平方向を向くようにメインリールケース１４１を支持して載置可能に構成されている。これにより、リール開口部１５２ａが略水平方向を向くようにメインリールケース１４１を載置しても、メインリール中継基板１８１が基板収容部１６１に収容された状態で、支持リブ１６２によってメインリールケース１４１が安定して支持される。そのため、メインリールユニット１００の組み立て作業を行う際、メインリールケース１４１を載置する向きを容易に変えることが可能になり、メインリールユニット１００を容易に組み立てることができる。
【０１７８】
また、支持リブ１６２の前部に、各メインリールモータ１１１とメインリール中継基板１８１とに電気的に接続されたワイヤーハーネスが挿通される前方切欠き部１６３が形成されている。これにより、リール開口部１５２ａが略水平方向を向くようにメインリールケース１４１を載置しても、メインリールケース１４１の載置面と支持リブ１６２との間にワイヤーハーネスが挟まれるのを防止することができる。
【０１７９】
また、基板収容部１６１は、メインリール中継基板１８１を覆う第１カバー部材１７１と、第１カバー部材１７１の下側に重ねて取り付けられてワイヤーハーネスを覆う第２カバー部材１７６とを有している。これにより、リール開口部１５２ａが略水平方向を向くようにメインリールケース１４１を載置しても、メインリールケース１４１の載置面と支持リブ１６２との間にワイヤーハーネスが挟まれるのをより確実に防止することができる。また、第２カバー部材１７６がワイヤーハーネスを覆うため、前面扉２０を開閉する際、基体部１０の内部の部品にワイヤーハーネスが引っ掛かって抜けてしまうのを防止することができる。
【０１８０】
［メインリールユニットの第２の特徴構成］
本実施形態において、前面扉２０の後面側が下後方を向くように傾斜して基体部１０の開口部１０ａと整合するように形成されており、メインリールユニット１００を前面扉２０の後面側において略水平に支持する支持部１４４が設けられている。これにより、前面扉２０の後面側が下後方を向くように傾斜しても、支持部１４４によってメインリールユニット１００が前面扉２０の後面側において略水平に支持される。そのため、リール開口部１５２ａが略水平方向に前方を向いて、第１〜第３メインリール１０２ａ〜１０２ｃに描かれた図柄を適切に視認することが可能になり、遊技者に対する図柄の表示を適切に行うことができる。また、支持部１４４によってメインリールユニット１００が前面扉２０の後面側において略水平に支持されるため、メインリールユニット１００が基体部１０の内部上側に収容された状態で、基体部１０の天井部とメインリールユニット１００との間に生じるデッドスペースを少なくすることができる。
【０１８１】
また、支持部１４４は、メインリールケース１４１の前部に設けられ、傾斜面部１４５が前面扉２０（支持枠部材６４０）の後面側に当接した状態でメインリールユニット１００を略水平に支持するように構成されている。これにより、簡便な構成で、メインリールユニット１００を略水平に支持することが可能になり、遊技者に対する図柄の表示を適切に行うことができる。
【０１８２】
また、メインリールケース１４１は、メインリールユニット１００を前面扉２０の後面側に引っ掛けて固定するための爪部１４６と、爪部１４６の下方に形成された突起部１４７とを有し、前面扉２０（支持枠部材６４０）の後面側に、爪部１４６が係止可能な爪係止部６４１と、爪部１４６が爪係止部６４１に係止して傾斜面部１４５が傾斜面当接部６４２に当接した状態で、突起部１４７が係合可能な突起係合部６４３とが設けられている。これにより、メインリールユニット１００を前面扉２０の後面側に取り付ける際、メインリールユニット１００を前面扉２０の後面側に引っ掛けて仮固定することができるため、メインリールユニット１００を前面扉２０の後面側に容易に取り付けることができる。
【０１８３】
［演出制御ユニットの特徴構成］
本実施形態において、演出基板ケース３７０は、演出基板ケース３７０を基体部１０の側部内面に仮固定するためのケース側係合部３８５，３８６を上下に有し、ホッパー用ワイヤーハーネス９５０等を基体部１０の内面側に固定する上下の固定部材９６０，９６５は、ケース側係合部３８５，３８６が係合可能な固定側係合部９６１，９６６を有し、上下のケース側係合部３８５，３８６が上下の固定側係合部９６１，９６６に係合した状態で、演出基板ケース３７０が基体部１０の側部内面に仮固定されるように構成されている。これにより、上下の固定部材９６０，９６５を介して、演出基板ケース３７０が基体部１０の側部内面に仮固定されるため、この状態で、演出制御ユニット３５０（演出基板ケース３７０）を基体部１０の側部内面に容易に取り付けることができる。そのため、スロットマシンＳＭの組み立て作業時における作業性を向上させることができる。
【０１８４】
また、上下のケース側係合部３８５，３８６は、演出基板ケース３７０の側方に突出する爪状に形成され、上下の固定側係合部９６１，９６６は、爪状の上下のケース側係合部３８５，３８６が上方から係合可能な穴状に形成されている。これにより、簡便な構成で、演出基板ケース３７０を基体部１０の側部内面に仮固定することができる。そのため、簡便な構成で、スロットマシンＳＭの組み立て作業時における作業性を向上させることができる。
【０１８５】
また、上下の固定部材９６０，９６５は、主制御基板２５１から延びるホッパー用ワイヤーハーネス９５０等を基体部１０の内面側における隅部近傍に固定するようになっている。これにより、上下の固定側係合部９６１，９６６を、基体部１０の奥側に設けることができるため、演出基板ケース３７０の上下のケース側係合部３８５，３８６への不正なアクセスを防止して、演出基板ケース３７０が不正に取り外されるのを防止することができる。
【０１８６】
［画像表示装置の特徴構成］
本実施形態において、液晶シャッター部４２０は、３つの液晶シャッター窓４１４ａ〜４１４ｃにおいて視認可能な３つのサブリール２０２ａ〜２０２ｃにおける９つの図柄の区画領域（すなわち、９つの区画部４２１ａ〜４２３ａ，４２１ｂ〜４２３ｂ，４２１ｃ〜４２３ｃ）ごとに、透過状態と遮蔽状態とに切り替え可能に構成されている。これにより、液晶シャッター部４２０を用いて、液晶パネル４１１、導光板４１２、および３つの液晶シャッター窓４１４ａ〜４１４ｃを通じて３つのサブリール２０２ａ〜２０２ｃの図柄を視認させたり、３つの液晶シャッター窓４１４ａ〜４１４ｃを遮って液晶パネル４１１に画像表示を行わせたりすることができる。そのため、より多彩な演出を行うことが可能になる。
【０１８７】
なお、シャッター照明部４３０は、画像表示部４１０の後面側における３つの液晶シャッター窓４１４ａ〜４１４ｃの上方に設けられた上側照明部４４０と、画像表示部４１０の後面側における３つの液晶シャッター窓４１４ａ〜４１４ｃの下方に設けられた下側照明部４５０とを有している。これにより、液晶シャッター部４２０は、シャッター照明部４３０の上側照明部４４０および下側照明部４５０によって後方から照明されるため、遮蔽状態において、液晶パネル４１１における３つの液晶シャッター窓４１４ａ〜４１４ｃと重なる部分で表示される画像を、液晶パネル４１１における他の部分で表示される画像と同じ明るさで表示させることができる。そのため、液晶パネル４１１における３つの液晶シャッター窓４１４ａ〜４１４ｃと重なる部分と他の部分との境界で、画像の見え方にずれが生じるのを抑えることができる。また、液晶シャッター部４２０における９つの区画部４２１ａ〜４２３ａ，４２１ｂ〜４２３ｂ，４２１ｃ〜４２３ｃのうち、少なくとも一つが透過状態のときには、上側照明部４４０および下側照明部４５０によって遮られることなく、３つの液晶シャッター窓４１４ａ〜４１４ｃのいずれかを通じて３つのサブリール２０２ａ〜２０２ｃの９つの図柄のうち少なくとも一つを視認することができる。
【０１８８】
また、上側照明部４４０は、上側ＬＥＤランプ４４２で発光した光が上側拡散シート４４５および上側ランプカバー４４７において拡散されるように構成されている。これにより、上側照明部４４０は、上側ランプカバー４４７から均一な光を射出させて、上側ＬＥＤランプ４４２が３つの液晶シャッター窓４１４ａ〜４１４ｃやリールテープ等に点光源として映り込むことなく、液晶シャッター部４２０を後上方から均一に照明することができる。一方、下側照明部４５０は、下側ＬＥＤランプ４５２で発光した光が下側拡散シート４５５および下側ランプカバー４５７において拡散されるように構成されている。これにより、下側照明部４５０は、下側ランプカバー４５７から均一な光を射出させて、下側ＬＥＤランプ４５２が３つの液晶シャッター窓４１４ａ〜４１４ｃやリールテープ等に点光源として映り込むことなく、液晶シャッター部４２０を後下方から均一に照明することができる。
【０１８９】
また、サブリールユニット２００の前面側は、液晶シャッター部４２０に向けて光を反射させやすい白色を有している。これにより、シャッター照明部４３０からの光が液晶シャッター部４２０により多く達するため、液晶シャッター部４２０が遮蔽状態のときに、液晶パネル４１１における３つの液晶シャッター窓４１４ａ〜４１４ｃと重なる部分で表示される画像を、液晶パネル４１１における他の部分で表示される画像と同じ明るさで表示させることができる。そのため、液晶パネル４１１における３つの液晶シャッター窓４１４ａ〜４１４ｃと重なる部分と他の部分との境界で、画像の見え方にずれが生じるのを抑えることができる。
【０１９０】
また、３つのサブリール２０２ａ〜２０２ｃにおける図柄以外の部分と、各サブリールブラケット２３１の前面側とが、液晶シャッター部４２０に向けて光を反射させやすい白色を有している。このように、サブリールユニット２００の前面側に配置される各部品を、同じ白色に統一することで、液晶シャッター部４２０が遮蔽状態のときに、液晶パネル４１１における３つの液晶シャッター窓４１４ａ〜４１４ｃと重なる部分で表示される画像を、明暗のムラなく表示させることができる。
【０１９１】
また、液晶シャッター部４２０は、３つの液晶シャッター窓４１４ａ〜４１４ｃと重なる反射シート４１３の後面側に取り付けられている。これにより、液晶シャッター部４２０が破損等した場合に、容易に交換することができる。なお、液晶シャッター部４２０は、導光板４１２の前面側に液晶パネル４１１と挟まれるように取り付けられてもよい。この場合、反射シート４１３に形成された３つの液晶シャッター窓４１４ａ〜４１４ｃの縁部は、液晶シャッター部４２０よりも後方に配置されるため、液晶シャッター部４２０が遮蔽状態のときに視認され難くなる。そのため、液晶シャッター部４２０が遮蔽状態のときに、液晶パネル４１１における３つの液晶シャッター窓４１４ａ〜４１４ｃと重なる部分と他の部分との境界で、画像の見え方にずれが生じるのを抑えることができる。
【０１９２】
［サイドランプの特徴構成］
本実施形態において、左右のサイドランプ５００，５５０は、第１〜第５サイドＬＥＤランプ５０２ａ〜５０２ｅ、第６サイドＬＥＤランプ５０５ｇ、および第７〜第９サイドＬＥＤランプ５０８ｇ〜５０８ｉから発光した光が、第１〜第１１サイド反射部材５２１ａ〜５２１ｋのうちいずれかの後側反射面と、第１〜第１１サイド反射部材５２１ａ〜５２１ｋのうちいずれかの前側反射面とに反射して、下部ランプカバー５４１または上部ランプカバー５４７を透過するように構成されている。これにより、左右のサイドランプ５００，５５０は、下部ランプカバー５４１または上部ランプカバー５４７を通して、第１〜第１１サイド反射部材５２１ａ〜５２１ｋにおける複数の間隙部から、第１〜第１１サイド反射部材５２１ａ〜５２１ｋの輪郭形状に沿って明暗がぼやけて現れる柔らかい印象を与える光を発光することができる。そのため、間接照明のように明部と暗部の境界がぼやける装飾性の高い光演出を行うことができ、スロットマシンＳＭの装飾性を高めることが可能になる。
【０１９３】
また、第１〜第１１サイド反射部材５２１ａ〜５２１ｋのうち、第８サイド反射部材５２１ｈが透光性を有する材料を用いて形成されている。これにより、第７サイドＬＥＤランプ５０８ｇから発光した他の光は、第８サイド反射部材５２１ｈを透過して、第８サイド反射部材５２１ｈの側部が上部ランプカバー５４７を通して発光する。このようにして、左右のサイドランプ５００，５５０の一部において直接的な照明を行うことで、光の変化に富んだ装飾性の高い光演出を行うことができ、スロットマシンＳＭの装飾性を高めることが可能になる。
【０１９４】
また、下部ランプカバー５４１および上部ランプカバー５４７が、スモーク状の半透明の材料を用いて形成されている。これにより、第１〜第１１サイド反射部材５２１ａ〜５２１ｋにおける複数の間隙部から発光する光が、下部ランプカバー５４１または上部ランプカバー５４７を１００％透過しないため、全体的に落ち着いた印象の光演出を行うことができる。そのため、間接照明により近い装飾性の高い光演出を行うことができ、スロットマシンＳＭの装飾性を高めることが可能になる。
【０１９５】
また、第６サイド反射部材５２１ｆに、第５サイド反射部材５２１ｅと第６サイド反射部材５２１ｆとの間隙を通じて第５サイドＬＥＤランプ５０２ｅが視認されるのを防ぐランプ隠し部５２７ｆが形成されている。これにより、第５サイドＬＥＤランプ５０２ｅから発光した光が直接視認されるのを防ぐことができる。そのため、間接照明により近い装飾性の高い光演出を行うことができ、スロットマシンＳＭの装飾性を高めることが可能になる。
【０１９６】
また、ランプ隠し部５２７ｆは、左右のサイドランプ５００，５５０の前方から第５サイド反射部材５２１ｅと第６サイド反射部材５２１ｆとの間隙を通じて第５サイドＬＥＤランプ５０２ｅが視認されるのを防ぐように形成されている。これにより、遊技者の視点で、第５サイドＬＥＤランプ５０２ｅから発光した光が直接視認されるのを防ぐことができる。
【０１９７】
［アップサイドランプの特徴構成］
本実施形態において、左アップサイドランプ７００（右アップサイドランプ７５０）は、第１〜第３アップサイドＬＥＤランプ７０２ａ〜７０２ｃから発光した光が、第２〜第５左アップサイド反射部材７２１ｂ〜７２１ｅ（第２〜第５右アップサイド反射部材７７１ｂ〜７７１ｅ）のうちいずれかの後側反射面と、第２〜第５左アップサイド反射部材７２１ｂ〜７２１ｅのうちいずれかの前側反射面とに反射して、左ランプカバー７４１（右ランプカバー７９１）を透過するように構成されている。これにより、左アップサイドランプ７００（右アップサイドランプ７５０）は、第２〜第５左アップサイド反射部材７２１ｂ〜７２１ｅ（第２〜第５右アップサイド反射部材７７１ｂ〜７７１ｅ）における複数の間隙部から、左ランプカバー７４１を通して、第２左アップサイド反射部材７２１ｂおよび第４左アップサイド反射部材７２１ｄの輪郭形状に沿って明暗がぼやけて現れる柔らかい印象を与える光を発光することができる。そのため、間接照明のように明部と暗部の境界がぼやける装飾性の高い光演出を行うことができ、スロットマシンＳＭの装飾性を高めることが可能になる。
【０１９８】
また、第１〜第５左アップサイド反射部材７２１ａ〜７２１ｅ（第１〜第５右アップサイド反射部材７７１ａ〜７７１ｅ）のうち、第３左アップサイド反射部材７２１ｃおよび第５左アップサイド反射部材７２１ｅ（第３右アップサイド反射部材７７１ｃおよび第５右アップサイド反射部材７７１ｅ）が、透光性を有する材料を用いて形成されている。これにより、左アップサイドランプ７００（右アップサイドランプ７５０）の一部において直接的な照明を行うことで、光の変化に富んだ装飾性の高い光演出を行うことができ、スロットマシンＳＭの装飾性を高めることが可能になる。
【０１９９】
また、左ランプカバー７４１（右ランプカバー７９１）が、スモーク状の半透明の材料を用いて形成されている。これにより、第２〜第５左アップサイド反射部材７２１ｂ〜７２１ｅにおける複数の間隙部から発光する光が、左ランプカバー７４１を１００％透過しないため、全体的に落ち着いた印象の光演出を行うことができる。そのため、間接照明により近い装飾性の高い光演出を行うことができ、スロットマシンＳＭの装飾性を高めることが可能になる。
【０２００】
［センターランプ部の特徴構成］
本実施形態において、センターランプ部８１０は、第１〜第３センターＬＥＤランプ８０２ａ〜８０２ｃから発光した光が、第１〜第４センター反射部材８２１ａ〜８２１ｄのうちいずれかの後側反射面と、第１〜第４センター反射部材８２１ａ〜８２１ｄのうちいずれかの前側反射面とに反射して、センターランプカバー８４１を透過するように構成されている。これにより、センターランプ部８１０は、第１〜第４センター反射部材８２１ａ〜８２１ｄにおける複数の間隙部から、センターランプカバー８４１を通して、第１〜第４センター反射部材８２１ａ〜８２１ｄの輪郭形状に沿って明暗がぼやけて現れる柔らかい印象を与える光を発光することができる。そのため、間接照明のように明部と暗部の境界がぼやける装飾性の高い光演出を行うことができ、スロットマシンＳＭの装飾性を高めることが可能になる。
【０２０１】
また、センターランプカバー８４１が、スモーク状の半透明の材料を用いて形成されている。これにより、第１〜第４センター反射部材８２１ａ〜８２１ｄにおける複数の間隙部から発光する光が、センターランプカバー８４１を１００％透過しないため、全体的に落ち着いた印象の光演出を行うことができる。そのため、間接照明により近い装飾性の高い光演出を行うことができ、スロットマシンＳＭの装飾性を高めることが可能になる。
【０２０２】
また、第３センター反射部材８２１ｃに、第２センター反射部材８２１ｂと第３センター反射部材８２１ｃとの間隙を通じて第２センターＬＥＤランプ８０２ｂが視認されるのを防ぐランプ隠し部８２６ｃが形成されている。また、第４センター反射部材８２１ｄに、第３センター反射部材８２１ｃと第４センター反射部材８２１ｄとの間隙を通じて第３センターＬＥＤランプ８０２ｃが視認されるのを防ぐランプ隠し部８２６ｄが形成されている。これにより、第２センターＬＥＤランプ８０２ｂおよび第３センターＬＥＤランプ８０２ｃから発光した光が直接視認されるのを防ぐことができる。そのため、間接照明により近い装飾性の高い光演出を行うことができ、スロットマシンＳＭの装飾性を高めることが可能になる。
【０２０３】
また、第３センター反射部材８２１ｃのランプ隠し部８２６ｃは、センターランプ部８１０の前方から第２センター反射部材８２１ｂと第３センター反射部材８２１ｃとの間隙を通じて第２センターＬＥＤランプ８０２ｂが視認されるのを防ぐように形成されている。また、第４センター反射部材８２１ｄのランプ隠し部８２６ｄは、センターランプ部８１０の前方から第３センター反射部材８２１ｃと第４センター反射部材８２１ｄとの間隙を通じて第３センターＬＥＤランプ８０２ｃが視認されるのを防ぐように形成されている。これにより、遊技者の視点で、第２センターＬＥＤランプ８０２ｂおよび第３センターＬＥＤランプ８０２ｃから発光した光が直接視認されるのを防ぐことができる。
【０２０４】
［電飾部の特徴構成］
本実施形態において、光沢面状に形成されたセンター装飾部材８７０の左凹部８７２の表面の一部に、左センター電飾用ＬＥＤランプ８０３ａが発光すると左導光部材８６１の左先端部８６３と同様に発光しているように視認される左側発光領域８７２ａが形成され、光沢面状に形成されたセンター装飾部材８７０の右凹部８７７の表面の一部に、右センター電飾用ＬＥＤランプ８０３ｂが発光すると右導光部材８６６の右先端部８６８と同様に発光しているように視認される右側発光領域８７７ａが形成されている。これにより、電飾部８６０は、左先端部８６３および右先端部８６８の発光時と、左先端部８６３および右先端部８６８の非発光時において、センター装飾部材８７０における左凹部８７２および右凹部８７７の見かけの形状を変化させることができる。そのため、電飾部８６０は、簡便な構成で変化に富んだ光演出を行うことができ、スロットマシンＳＭの装飾性を高めることが可能になる。
【０２０５】
また、左凹部８７２の表面の一部に、左センター電飾用ＬＥＤランプ８０３ａが発光すると左導光部材８６１の左先端部８６３および左側発光領域８７２ａに囲まれて所定の外周形状が視認される左側非発光領域８７２ｂが形成され、右凹部８７７の表面の一部に、右センター電飾用ＬＥＤランプ８０３ｂが発光すると右導光部材８６６の右先端部８６８および右側発光領域８７７ａに囲まれて所定の外周形状が視認される右側非発光領域８７７ｂが形成されている。これにより、電飾部８６０は、左先端部８６３および右先端部８６８の発光時と、左先端部８６３および右先端部８６８の非発光時において、センター装飾部材８７０における左凹部８７２および右凹部８７７の見かけの形状をより明確に変化させることができる。そのため、電飾部８６０は、簡便な構成で変化に富んだ光演出を行うことができ、スロットマシンＳＭの装飾性を高めることが可能になる。
【０２０６】
上述の実施形態において、３つのサブリール２０２ａ〜２０２ｃにおけるリールテープの図柄以外の部分およびホイール部材と、サブリールブラケット２３１と、リールモジュール収容部２４１とに、白色が着色されているが、これに限られるものではなく、例えば、薄い銀色が着色されてもよく、シャッター照明部４３０からの光を液晶シャッター部４２０に向けて反射させやすい色が着色されていればよい。
【０２０７】
上述の実施形態において、上下の固定部材９６０，９６５を介して、演出基板ケース３７０が基体部１０の側部内面に仮固定されるように構成されているが、これに限られるものではなく、サブメイン基板３０１が収容された副基板ケース３１０が、ワイヤーハーネスを基体部１０の内面側に固定する固定部材（図示せず）を介して、基体部１０の側部内面に仮固定されるように構成されてもよい。
【０２０８】
上述の実施形態において、左側非発光領域８７２ｂおよび右側非発光領域８７７ｂが、所定の外周形状（例えば、動物の目を模した形状）を有して視認されるように形成されているが、この外周形状は、例示した動物の目を模した形状に限られるものではなく、図形の形状や、文字形状であってもよい。
【０２０９】
上述の実施形態において、センター装飾部材８７０における左凹部８７２および右凹部８７７の表面が、銀色メッキ処理により鏡面状に形成されているが、これに限られるものではなく、例えば、金色メッキ処理等により金属表面状に形成されてもよく、光沢面状に形成されていればよい。
【０２１０】
上述の実施形態において、前面扉２０の上部後面側に、メインリールユニット１００が取り付けられているが、これに限られるものではなく、例えば、演出用のリールユニットや、可動式の装飾部材を備えた演出装置が取り付けられるようにしてもよく、前面扉２０に設けられた表示窓を介して遊技者に所定の表示が可能な表示装置を取り付けることが可能である。
【０２１１】
上述の実施形態において、本発明が適用される遊技機の一例として、遊技メダルを使用するスロットマシン（回胴式遊技機）ＳＭを例示して説明したが、これに限定されるものではなく、例えば、遊技球を使用する回胴式遊技機や、雀球遊技機、アレンジボール機、パチンコ機などについても同様に適用し、同様の効果を得ることができる。
【符号の説明】
【０２１２】
ＳＭ  スロットマシン（遊技機）
１０  基体部（本体部材）
２０  前面扉（開閉部材）
１００  メインリールユニット
１０１ａ  第１メインリールモジュール
１０１ｂ  第２メインリールモジュール
１０１ｃ  第３メインリールモジュール
１０２ａ  第１メインリール
１０２ｃ  第２メインリール
１０２ｄ  第３メインリール
１１１  メインリールモータ
１３１  メインリールブラケット
１４１  メインリールケース
１４２  後ケース部（１４２ａ  収容開口部）
１４４  支持部
１４５  傾斜面部
１４６  爪部
１４７  突起部
１４９  後側リール収容部（１４９ａ  後方窓部）
１５０  仮支持部
１５２  前ケース部（１５２ａ  リール開口部）
１６１  基板収容部
１６２  支持リブ（１６２ａ  後方窓部）
１６３  前方切欠き部
１７１  第１カバー部材
１７６  第２カバー部材
１８１  メインリール中継基板
１９１  後部結合部材
１９２  上側前部結合部材
１９３  下側前部結合部材
２００  サブリールユニット
２０１ａ  第１サブリールモジュール
２０１ｂ  第２サブリールモジュール
２０１ｃ  第３サブリールモジュール
２０２ａ  第１サブリール
２０２ｂ  第２サブリール
２０２ｃ  第３サブリール
２１１  サブリールモータ
２３１  サブリールブラケット
２４１  リールモジュール収容部
２５０  主制御装置
２５１  主制御基板
２６０  主基板ケース
３００  副制御装置
３０１  サブメイン基板
３１０  副基板ケース
３５０  演出制御ユニット
３５１  サブサブ基板
３６１  画像制御基板
３７０  演出基板ケース
３７１  演出基板ケース本体
３８１  演出基板ケース蓋
３８５  上部ケース側係合部
３８６  下部ケース側係合部
４００  画像表示装置
４１０  画像表示部
４１１  液晶パネル
４１２  導光板
４１３  反射シート
４１４ａ  第１液晶シャッター窓
４１４ｂ  第２液晶シャッター窓
４１４ｃ  第３液晶シャッター窓
４１５  液晶ケース
４２０  液晶シャッター部
４２１ａ  第１上区画部
４２２ａ  第１中区画部
４２３ａ  第１下区画部
４２１ｂ  第２上区画部
４２２ｂ  第２中区画部
４２３ｂ  第２下区画部
４２１ｃ  第３上区画部
４２２ｃ  第３中区画部
４２３ｃ  第３下区画部
４３０  シャッター照明部
４４０  上側照明部
４４１  上側ランプ基板
４４２  上側ＬＥＤランプ
４４３  上側ランプ保持部
４４５  上側拡散シート
４４７  上側ランプカバー
４５０  下側照明部
４５１  下側ランプ基板
４５２  下側ＬＥＤランプ
４５３  下側ランプ保持部
４５５  下側拡散シート
４５７  下側ランプカバー
５００  左サイドランプ
５０１  下部サイドランプ基板
５０２ａ〜５０２ｅ  第１〜第５サイドＬＥＤランプ
５０４  中部サイドランプ基板
５０５ｆ  第６サイドＬＥＤランプ
５０７  上部サイドランプ基板
５０８ｇ〜５０８ｉ  第７〜第９サイドＬＥＤランプ
５２１ａ〜５２１ｋ  第１〜第１１サイド反射部材
５２７ｆ  ランプ隠し部
５３１  サイドランプハウス
５４１  下部ランプカバー
５４７  上部ランプカバー
５５０  右サイドランプ
６００  メインリール表示ユニット
６１０  上部マスク部材
６１３  左ランプハウス部
６１５  右ランプハウス部
６１７  中央ランプハウス部
６３０  窓枠部材
６３１  リール表示窓
６４０  上部エスカッション
６４１  爪係止部
６４２  傾斜面当接部
６４３  突起係合部
７００  左アップサイドランプ
７０１  左アップサイドランプ基板
７０２ａ〜７０２ｄ  第１〜第４アップサイドＬＥＤランプ
７２１ａ〜７２１ｅ  第１〜第５左アップサイド反射部材
７４１  左ランプカバー
７５０  右アップサイドランプ
７５１  右アップサイドランプ基板
７７１ａ〜７７１ｅ  第１〜第５右アップサイド反射部材
７９１  右ランプカバー
８００  センターランプユニット
８０１  センターランプ基板
８０２ａ〜８０２ｃ  第１〜第３センターＬＥＤランプ
８０３ａ  左センター電飾用ＬＥＤランプ
８０３ｂ  右センター電飾用ＬＥＤランプ
８１０  センターランプ部
８２１ａ〜８２１ｄ  第１〜第４センター反射部材
８２６ｃ〜８２６ｄ  ランプ隠し部
８４１  センターランプカバー
８６０  電飾部
８６１  左導光部材
８６６  右導光部材
８７０  センター装飾部材
８７２  左凹部（８７２ａ  左側発光領域、８７２ｂ  左側非発光領域）
８７７  右凹部（８７７ａ  右側発光領域、８７７ｂ  右側非発光領域）
９５０  ホッパー用ワイヤーハーネス
９５１  電力供給用ワイヤーハーネス
９６０  上側固定部材
９６１  上部固定側係合部
９６５  下側固定部材
９６６  下部固定側係合部
【図１】
0005904678.tif 000002
【図２】
0005904678.tif 000003
【図３】
0005904678.tif 000004
【図４】
0005904678.tif 000005
【図５】
0005904678.tif 000006
【図６】
0005904678.tif 000007
【図７】
0005904678.tif 000008
【図８】
0005904678.tif 000009
【図９】
0005904678.tif 000010
【図１０】
0005904678.tif 000011
【図１１】
0005904678.tif 000012
【図１２】
0005904678.tif 000013
【図１３】
0005904678.tif 000014
【図１４】
0005904678.tif 000015
【図１５】
0005904678.tif 000016
【図１６】
0005904678.tif 000017
【図１７】
0005904678.tif 000018
【図１８】
0005904678.tif 000019
【図１９】
0005904678.tif 000020
【図２０】
0005904678.tif 000021
【図２１】
0005904678.tif 000022
【図２２】
0005904678.tif 000023
【図２３】
0005904678.tif 000024
【図２４】
0005904678.tif 000025
【図２５】
0005904678.tif 000026
【図２６】
0005904678.tif 000027
【図２７】
0005904678.tif 000028
【図２８】
0005904678.tif 000029
【図２９】
0005904678.tif 000030
【図３０】
0005904678.tif 000031
【図３１】
0005904678.tif 000032
【図３２】
0005904678.tif 000033
【図３３】
0005904678.tif 000034
【図３４】
0005904678.tif 000035
【図３５】
0005904678.tif 000036
【図３６】
0005904678.tif 000037
【図３７】
0005904678.tif 000038
【図３８】
0005904678.tif 000039
【図３９】
0005904678.tif 000040
【図４０】
0005904678.tif 000041
【図４１】
0005904678.tif 000042
【図４２】
0005904678.tif 000043
【図４３】
0005904678.tif 000044
【図４４】
0005904678.tif 000045
【図４５】
0005904678.tif 000046
【図４６】
0005904678.tif 000047
【図４７】
0005904678.tif 000048